(57)【要約】      （修正有）【課題】コンポーネントキャリアに関するアップリンク制御情報（ＵＣＩ）を送信するための方法を提供する。【解決手段】方法は、ユーザ機器（ＵＥ）に使用するアップリンク（ＵＬ）コンポーネントキャリア（ＣＣ）のセットを決定することを含む。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含む。サブフレームにおいて、送信予定のアップリンク制御情報（ＵＣＩ）を識別することと、ＵＣＩが１つまたは複数のＣＣに関連付けられる、ＵＣＩの送信に利用可能なＵＬ  ＣＣを、第１の無線周波数スペクトル帯域における少なくとも１つのＵＬ  ＣＣに限定することとをさらに含む。【選択図】図３
2019071649.tif 000002
【特許請求の範囲】
【請求項１】
ワイヤレス通信のための方法であって、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームにおいて、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと
を備える方法。
【請求項２】
前記第１の無線周波数スペクトル帯域は専用無線周波数スペクトル帯域であり、前記第２の無線周波数スペクトル帯域は共有無線周波数スペクトル帯域である、請求項１に記載の方法。
【請求項３】
前記決定することは、
アップリンクキャリアアグリゲーション動作のためのＵＬ  ＣＣの前記セットを決定すること
を備える、請求項１に記載の方法。
【請求項４】
前記決定することは、
デュアル接続動作におけるＣＣの１次グループまたはＣＣの２次グループとして使用する、前記デュアル接続動作のためのＵＬ  ＣＣの前記セットを決定すること
を備える、請求項１に記載の方法。
【請求項５】
前記限定することは、
前記ＵＥが前記サブフレームの間の並列の物理アップリンク制御チャネル（ＰＵＣＣＨ）および物理アップリンク共有チャネル（ＰＵＳＣＨ）送信のために構成されないと決定すること
を備える、請求項１に記載の方法。
【請求項６】
前記サブフレームの間に前記第１の無線周波数スペクトル帯域においてＰＵＳＣＨ送信が不可能であると決定することと、
前記利用可能なＵＬ  ＣＣを前記第１の無線周波数スペクトル帯域におけるＰＵＣＣＨ  ＣＣに限定することと
をさらに備える、請求項５に記載の方法。
【請求項７】
前記サブフレームの間に前記第１の無線周波数スペクトル帯域において少なくとも１つのＰＵＳＣＨ送信が可能であると決定することと、
前記利用可能なＵＬ  ＣＣを前記第１の無線周波数スペクトル帯域における第１のＰＵＳＣＨ  ＣＣに限定することと
をさらに備える、請求項５に記載の方法。
【請求項８】
非周期的チャネル状態情報（ＣＳＩ）が前記サブフレームの間に前記第１のＰＵＳＣＨ  ＣＣ上で送信されるようにトリガされることに少なくとも部分的に基づいて、前記第１のＰＵＳＣＨ  ＣＣを選択すること
をさらに備える、請求項７に記載の方法。
【請求項９】
前記第１のＰＵＳＣＨ  ＣＣに関連する第１のＣＣインデックスに少なくとも部分的に基づいて、前記第１のＰＵＳＣＨ  ＣＣを選択すること
をさらに備える、請求項７に記載の方法。
【請求項１０】
前記第１のＣＣインデックスに少なくとも部分的に基づいて、前記第１のＰＵＳＣＨ  ＣＣを選択することは、
前記第１のＣＣインデックスが第２のＰＵＳＣＨ  ＣＣに関連する第２のＣＣインデックスよりも低いことに少なくとも部分的に基づいて、前記第１のＰＵＳＣＨ  ＣＣを選択すること
を備える、請求項９に記載の方法。
【請求項１１】
前記限定することは、
前記ＵＥが前記サブフレームの間の並列の物理アップリンク制御チャネル（ＰＵＣＣＨ）および物理アップリンク共有チャネル（ＰＵＳＣＨ）送信のために構成されると決定すること
を備える、請求項１に記載の方法。
【請求項１２】
前記サブフレームの間に前記第１の無線周波数スペクトル帯域においてＰＵＳＣＨ送信が不可能であると決定することと、
前記利用可能なＵＬ  ＣＣを前記第１の無線周波数スペクトル帯域におけるＰＵＣＣＨ  ＣＣに限定することと
をさらに備える、請求項１１に記載の方法。
【請求項１３】
前記サブフレームの間に前記第１の無線周波数スペクトル帯域において少なくとも１つのＰＵＳＣＨ送信が可能であると決定することと、
前記ＵＣＩが第１のタイプの情報を備えると決定することと、
前記第１のタイプの情報に少なくとも部分的に基づいて、前記利用可能なＵＬ  ＣＣを前記第１の無線周波数スペクトル帯域におけるＰＵＣＣＨ  ＣＣに限定することと
をさらに備える、請求項１１に記載の方法。
【請求項１４】
前記第１のタイプの情報は、スケジューリング要求（ＳＲ）、または肯定応答（ＡＣＫ）／否定応答（ＮＡＫ）、またはＳＲおよびＡＣＫ／ＮＡＫ、または周期的チャネル状態情報（ＣＳＩ）を備える、請求項１３に記載の方法。
【請求項１５】
前記サブフレームの間に前記第１の無線周波数スペクトル帯域において少なくとも１つのＰＵＳＣＨ送信が可能であると決定することと、
前記ＵＣＩが第２のタイプの情報を備えると決定することと、
前記第２のタイプの情報の第１の部分を送信するために、前記利用可能なＵＬ  ＣＣを前記第１の無線周波数スペクトル帯域におけるＰＵＳＣＨ  ＣＣに限定することと、
前記第２のタイプの情報の第２の部分を送信するために、前記利用可能なＵＬ  ＣＣを前記第１の無線周波数スペクトル帯域におけるＰＵＣＣＨ  ＣＣに限定することと
をさらに備える、請求項１１に記載の方法。
【請求項１６】
前記第２のタイプの情報は、周期的チャネル状態情報（ＣＳＩ）と、スケジューリング要求（ＳＲ）、肯定応答（ＡＣＫ）／否定応答（ＮＡＫ）、または前記ＳＲと前記ＡＣＫ／ＮＡＫとの組合せのうちの少なくとも１つとを備える、請求項１５に記載の方法。
【請求項１７】
前記第２のタイプの情報の前記第１の部分は前記周期的ＣＳＩを備え、前記第２のタイプの情報の前記第２の部分は前記ＳＲ、前記ＡＣＫ／ＮＡＫ、または前記ＳＲと前記ＡＣＫ／ＮＡＫとの前記組合せを備える、請求項１６に記載の方法。
【請求項１８】
前記ＵＣＩは、少なくとも１つのタイプの周期的ＵＣＩを備える、請求項１に記載の方法。
【請求項１９】
前記ＵＣＩは、すべてのタイプの周期的ＵＣＩを備える、請求項１に記載の方法。
【請求項２０】
前記ＵＣＩは、非周期的チャネル状態情報（ＣＳＩ）を備える、請求項１に記載の方法。
【請求項２１】
前記第２の無線周波数スペクトル帯域における第１のＵＬ  ＣＣを通じて、前記サブフレームにおいて、前記第２の無線周波数スペクトル帯域における前記第１のＵＬ  ＣＣに関する非周期的チャネル状態情報（ＣＳＩ）を送信すること
をさらに備える、請求項１に記載の方法。
【請求項２２】
前記第１の無線周波数スペクトル帯域における第２のＵＬ  ＣＣを通じて、前記サブフレームにおいて、前記第１の無線周波数スペクトル帯域における前記第２のＵＬ  ＣＣに関する
非周期的ＣＳＩを送信すること
をさらに備える、請求項２１に記載の方法。
【請求項２３】
ワイヤレス通信のための装置であって、
プロセッサと、
前記プロセッサと電子通信しているメモリと、
前記プロセッサおよびメモリと
を備え、前記プロセッサおよびメモリは、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームにおいて、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと
を行うように構成される、装置。
【請求項２４】
前記第１の無線周波数スペクトル帯域は専用無線周波数スペクトル帯域であり、前記第２の無線周波数スペクトル帯域は共有無線周波数スペクトル帯域である、請求項２３に記載の装置。
【請求項２５】
前記プロセッサおよびメモリは、
前記ＵＥが前記サブフレームの間の並列の物理アップリンク制御チャネル（ＰＵＣＣＨ）および物理アップリンク共有チャネル（ＰＵＳＣＨ）送信のために構成されないと決定する
ようにさらに構成される、請求項２３に記載の装置。
【請求項２６】
前記プロセッサおよびメモリは、
前記サブフレームの間に前記第１の無線周波数スペクトル帯域においてＰＵＳＣＨ送信が不可能であると決定することと、
前記利用可能なＵＬ  ＣＣを前記第１の無線周波数スペクトル帯域におけるＰＵＣＣＨ  ＣＣに限定することと
を行うようにさらに構成される、請求項２５に記載の装置。
【請求項２７】
前記プロセッサおよびメモリは、
前記サブフレームの間に前記第１の無線周波数スペクトル帯域において少なくとも１つのＰＵＳＣＨ送信が可能であると決定することと、
前記利用可能なＵＬ  ＣＣを前記第１の無線周波数スペクトル帯域における第１のＰＵＳＣＨ  ＣＣに限定することと
を行うようにさらに構成される、請求項２５に記載の装置。
【請求項２８】
前記プロセッサおよびメモリは、
前記ＵＥが前記サブフレームの間の並列の物理アップリンク制御チャネル（ＰＵＣＣＨ）および物理アップリンク共有チャネル（ＰＵＳＣＨ）送信のために構成されると決定する
ようにさらに構成される、請求項２３に記載の装置。
【請求項２９】
ワイヤレス通信のための装置であって、
ユーザ機器（ＵＥ）に使用するアップリンク（ＵＬ）コンポーネントキャリア（ＣＣ）のセットを決定するための手段と、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームにおいて、送信予定のアップリンク制御情報（ＵＣＩ）を識別するための手段と、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定するための手段と
を備える装置。
【請求項３０】
ワイヤレス通信のためのコンピュータ実行可能コードを記憶する非一時的コンピュータ可読媒体であって、前記コードは、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームにおいて、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと
を行うようにプロセッサによって実行可能である、非一時的コンピュータ可読媒体。
【発明の詳細な説明】
【技術分野】
【０００１】
相互参照
[0001]本特許出願は、各々が本出願の譲受人に譲渡された、２０１５年９月１８日に出願された「Ｔｅｃｈｎｉｑｕｅｓ  ｆｏｒ  Ｔｒａｎｓｍｉｔｔｉｎｇ  Ｕｐｌｉｎｋ  Ｃｏｎｔｒｏｌ  Ｉｎｆｏｒｍａｔｉｏｎ  ｆｏｒ  ａ  Ｃｏｍｐｏｎｅｎｔ  Ｃａｒｒｉｅｒ」と題する、Ｃｈｅｎらによる米国特許出願第１４／８５８，４２５号、および２０１４年１０月７日に出願された「Ｔｅｃｈｎｉｑｕｅｓ  ｆｏｒ  Ｔｒａｎｓｍｉｔｔｉｎｇ  Ｕｐｌｉｎｋ  Ｃｏｎｔｒｏｌ  Ｉｎｆｏｒｍａｔｉｏｎ  ｆｏｒ  ａｎ  Ｃｏｍｐｏｎｅｎｔ  Ｃａｒｒｉｅｒ」と題する、Ｃｈｅｎらによる米国仮特許出願第６２／０６０，９８６号の優先権を主張する。
【０００２】
[0002]本開示は、たとえば、ワイヤレス通信システムに関し、より詳細には、コンポーネントキャリアに関するアップリンク制御情報を送信するための技法に関する。
【背景技術】
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、共有無線周波数スペクトル帯域を通じた、またはセルラーネットワークの異なる無線周波数スペクトル帯域（たとえば、専用無線周波数スペクトル帯域および共有無線周波数スペクトル帯域）を通じた基地局とＵＥとの間の通信を可能にし得る。専用（たとえば、免許(licensed)）無線周波数スペクトル帯域を使用するセルラーネットワークにおけるデータトラフィックの増加とともに、共有無線周波数スペクトル帯域への少なくとも一部のデータトラフィックのオフロードは、セルラー事業者にデータ送信容量の増強のための機会を与え得る。共有無線周波数スペクトル帯域はまた、専用無線周波数スペクトル帯域へのアクセスが不可能であるエリアにおいてサービスを提供し得る。
【０００６】
[0006]共有無線周波数スペクトル帯域にアクセスし、共有不要無線周波数スペクトル帯域を通じて通信する前に、基地局またはＵＥは、共有無線周波数スペクトル帯域へのアクセスを争うために、リッスンビフォアトーク（ＬＢＴ：listen before talk）手順を実行し得る。ＬＢＴ手順は、共有無線周波数スペクトル帯域のチャネルが利用可能であるかどうかを決定するために、クリアチャネルアセスメント（ＣＣＡ）手順を実行することを含み得る。共有無線周波数スペクトル帯域のチャネルが利用可能であると決定されたとき、チャネルを予約するためにチャネル使用ビーコン信号（ＣＵＢＳ：channel usage beacon signal）が送信され得る。
【０００７】
[0007]いくつかの動作モードでは、ＵＥは、複数のコンポーネントキャリア（ＣＣ）を使用して１つまたは複数の基地局と通信するようにＵＥが構成され得るキャリアアグリゲーションモードまたはデュアル接続モードで動作し得る。アップリンク上で通信するとき、ＵＥは、１つまたは複数のアップリンク（ＵＬ）ＣＣに関するアップリンク制御情報を送信し得る。
【発明の概要】
【０００８】
[0008]本開示は、たとえば、コンポーネントキャリアに関するアップリンク制御情報（ＵＣＩ）を送信するための１つまたは複数の技法に関する。ユーザ機器（ＵＥ）がアップリンク上で基地局と通信しているとき、ＵＥは、アップリンクキャリアアグリゲーションモードまたはデュアル接続モードで通信することがある。ＵＥがまた、専用無線周波数スペクトル帯域における少なくとも１つのアップリンク（ＵＬ）コンポーネントキャリア（ＣＣ）と共有無線周波数スペクトル帯域における少なくとも１つのＵＬ  ＣＣとを使用して基地局と通信しているとき、ＵＥは、ＵＣＩを送信するために、専用無線周波数スペクトル帯域におけるＵＬ  ＣＣおよび／または共有無線周波数スペクトル帯域におけるＵＬ  ＣＣを選択し得る。いくつかの状況では、また本開示で説明されるように、専用無線周波数スペクトル帯域におけるＵＬ  ＣＣは、共有無線周波数スペクトル帯域におけるＵＬ  ＣＣよりも信頼性が高いことがあり、ＵＣＩを送信するために、専用無線周波数スペクトル帯域におけるＵＬ  ＣＣを選択するようにＵＥを構成すること、またはＵＥにバイアスをかけることは有用であり得る。
【０００９】
[0009]ワイヤレス通信のための方法が説明される。一例では、本方法は、ＵＥに使用するＵＬ  ＣＣのセットを決定することを含む。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。本方法は、サブフレームにおいて、送信予定のＵＣＩを識別することをさらに含む。ＵＣＩは、１つまたは複数のＣＣに関連付けられ得る。本方法は、ＵＣＩの送信に利用可能なＵＬ  ＣＣを、第１の無線周波数スペクトル帯域における少なくとも１つのＵＬ  ＣＣに限定することをさらに含む。
【００１０】
[0010]本方法のいくつかの例では、第１の無線周波数スペクトル帯域は専用無線周波数スペクトル帯域であってよく、第２の無線周波数スペクトル帯域は共有無線周波数スペクトル帯域であってよい。本方法のいくつかの例では、決定することは、アップリンクキャリアアグリゲーション動作のためのＵＬ  ＣＣのセットを決定することを含み得る。本方法のいくつかの例では、決定することは、デュアル接続動作におけるＣＣの１次グループまたはＣＣの２次グループとして使用する、デュアル接続動作のためのＵＬ  ＣＣのセットを決定することを含み得る。
【００１１】
[0011]本方法のいくつかの例では、限定することは、ＵＥがサブフレームの間の並列の物理アップリンク制御チャネル（ＰＵＣＣＨ）および物理アップリンク共有チャネル（ＰＵＳＣＨ）送信のために構成されないと決定することを含み得る。いくつかの例では、本方法は、サブフレームの間に第１の無線周波数スペクトル帯域においてＰＵＳＣＨ送信が不可能であると決定することと、利用可能なＵＬ  ＣＣを第１の無線周波数スペクトル帯域におけるＰＵＣＣＨ  ＣＣに限定することとを含み得る。いくつかの例では、本方法は、サブフレームの間に第１の無線周波数スペクトル帯域において少なくとも１つのＰＵＳＣＨ送信が可能であると決定することと、利用可能なＵＬ  ＣＣを第１の無線周波数スペクトル帯域における第１のＰＵＳＣＨ  ＣＣに限定することとを含み得る。いくつかの例では、本方法は、非周期的チャネル状態情報（ＣＳＩ）がサブフレームの間に第１のＰＵＳＣＨ  ＣＣ上で送信されるようにトリガされることに少なくとも部分的に基づいて、第１のＰＵＳＣＨ  ＣＣを選択することを含み得る。いくつかの例では、本方法は、第１のＰＵＳＣＨ  ＣＣに関連する第１のＣＣインデックスに少なくとも部分的に基づいて、第１のＰＵＳＣＨ  ＣＣを選択することを含み得る。本方法のいくつかの例では、第１のＣＣインデックスに少なくとも部分的に基づいて第１のＰＵＳＣＨ  ＣＣを選択することは、第１のＣＣインデックスが第２のＰＵＳＣＨ  ＣＣに関連する第２のＣＣインデックスよりも低いことに少なくとも部分的に基づいて、第１のＰＵＳＣＨ  ＣＣを選択することを含み得る。
【００１２】
[0012]本方法のいくつかの例では、限定することは、ＵＥがサブフレームの間の並列のＰＵＣＣＨおよびＰＵＳＣＨ送信のために構成されると決定することを含み得る。いくつかの例では、本方法は、サブフレームの間に第１の無線周波数スペクトル帯域においてＰＵＳＣＨ送信が不可能であると決定することと、利用可能なＵＬ  ＣＣを第１の無線周波数スペクトル帯域におけるＰＵＣＣＨ  ＣＣに限定することとを含み得る。いくつかの例では、本方法は、サブフレームの間に第１の無線周波数スペクトル帯域において少なくとも１つのＰＵＳＣＨ送信が可能であると決定することと、ＵＣＩが第１のタイプの情報を含むと決定することと、第１のタイプの情報に少なくとも部分的に基づいて、利用可能なＵＬ  ＣＣを第１の無線周波数スペクトル帯域におけるＰＵＣＣＨ  ＣＣに限定することとを含み得る。本方法のいくつかの例では、第１のタイプの情報は、スケジューリング要求（ＳＲ）、または肯定応答（ＡＣＫ）／否定応答（ＮＡＫ）、またはＳＲおよびＡＣＫ／ＮＡＫ、または周期的ＣＳＩを含み得る。
【００１３】
[0013]いくつかの例では、本方法は、サブフレームの間に第１の無線周波数スペクトル帯域において少なくとも１つのＰＵＳＣＨ送信が可能であると決定することと、ＵＣＩが第２のタイプの情報を含むと決定することと、第２のタイプの情報の第１の部分を送信するために、利用可能なＵＬ  ＣＣを第１の無線周波数スペクトル帯域におけるＰＵＳＣＨ  ＣＣに限定することと、第２のタイプの情報の第２の部分を送信するために、利用可能なＵＬ  ＣＣを第１の無線周波数スペクトル帯域におけるＰＵＣＣＨ  ＣＣに限定することとを含み得る。いくつかの例では、第２のタイプの情報は、周期的ＣＳＩと、ＳＲ、ＡＣＫ／ＮＡＫ、またはＳＲとＡＣＫ／ＮＡＫとの組合せのうちの少なくとも１つとを含み得る。本方法のいくつかの例では、第２のタイプの情報の第１の部分は周期的ＣＳＩを含み得、第２のタイプの情報の第２の部分はＳＲ、ＡＣＫ／ＮＡＫ、またはＳＲとＡＣＫ／ＮＡＫとの組合せを含み得る。
【００１４】
[0014]本方法のいくつかの例では、ＵＣＩは、少なくとも１つのタイプの周期的ＵＣＩを含み得る。本方法のいくつかの例では、ＵＣＩは、すべてのタイプの周期的ＵＣＩを含み得る。本方法のいくつかの例では、ＵＣＩは、非周期的ＣＳＩを含み得る。いくつかの例では、本方法は、第２の無線周波数スペクトル帯域における第１のＵＬ  ＣＣを通じて、サブフレームにおいて、第２の無線周波数スペクトル帯域における第１のＵＬ  ＣＣに関する非周期的ＣＳＩを送信することを含み得る。いくつかの例では、本方法は、第１の無線周波数スペクトル帯域における第２のＵＬ  ＣＣを通じて、サブフレームにおいて、第１の無線周波数スペクトル帯域における第２のＵＬ  ＣＣに関する非周期的ＣＳＩを送信することを含み得る。
【００１５】
[0015]ワイヤレス通信のための装置が説明される。一例では、本装置は、ＵＥに使用するＵＬ  ＣＣのセットを決定するための手段を含む。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。本装置は、サブフレームにおいて、送信予定のＵＣＩを識別するための手段をさらに含む。ＵＣＩは、１つまたは複数のＣＣに関連付けられ得る。本装置は、ＵＣＩの送信に利用可能なＵＬ  ＣＣを、第１の無線周波数スペクトル帯域における少なくとも１つのＵＬ  ＣＣに限定するための手段をさらに含む。
【００１６】
[0016]いくつかの例では、第１の無線周波数スペクトル帯域は専用無線周波数スペクトル帯域であってよく、第２の無線周波数スペクトル帯域は共有無線周波数スペクトル帯域であってよい。本装置のいくつかの例は、アップリンクキャリアアグリゲーション動作のためのＵＬ  ＣＣのセットを決定するための手段を含み得る。本装置のいくつかの例は、デュアル接続動作におけるＣＣの１次グループまたはＣＣの２次グループとして使用する、デュアル接続動作のためのＵＬ  ＣＣのセットを決定するための手段を含み得る。
【００１７】
[0017]いくつかの例では、限定するための手段は、ＵＥがサブフレームの間の並列のＰＵＣＣＨおよびＰＵＳＣＨ送信のために構成されないと決定するための手段を含み得る。いくつかの例では、本装置は、サブフレームの間に第１の無線周波数スペクトル帯域においてＰＵＳＣＨ送信が不可能であると決定するための手段と、利用可能なＵＬ  ＣＣを第１の無線周波数スペクトル帯域におけるＰＵＣＣＨ  ＣＣに限定するための手段とを含み得る。いくつかの例では、本装置は、サブフレームの間に第１の無線周波数スペクトル帯域において少なくとも１つのＰＵＳＣＨ送信が可能であると決定するための手段と、利用可能なＵＬ  ＣＣを第１の無線周波数スペクトル帯域における第１のＰＵＳＣＨ  ＣＣに限定するための手段とを含み得る。いくつかの例では、本装置は、非周期的ＣＳＩがサブフレームの間に第１のＰＵＳＣＨ  ＣＣ上で送信されるようにトリガされることに少なくとも部分的に基づいて、第１のＰＵＳＣＨ  ＣＣを選択するための手段を含み得る。いくつかの例では、本装置は、第１のＰＵＳＣＨ  ＣＣに関連する第１のＣＣインデックスに少なくとも部分的に基づいて、第１のＰＵＳＣＨ  ＣＣを選択するための手段を含み得る。本装置のいくつかの例では、第１のＣＣインデックスに少なくとも部分的に基づいて第１のＰＵＳＣＨ  ＣＣを選択するための手段は、第１のＣＣインデックスが第２のＰＵＳＣＨ  ＣＣに関連する第２のＣＣインデックスよりも低いことに少なくとも部分的に基づいて、第１のＰＵＳＣＨ  ＣＣを選択するための手段を含み得る。
【００１８】
[0018]本装置のいくつかの例では、限定するための手段は、ＵＥがサブフレームの間の並列のＰＵＣＣＨおよびＰＵＳＣＨ送信のために構成されると決定するための手段を含み得る。いくつかの例では、本装置は、サブフレームの間に第１の無線周波数スペクトル帯域においてＰＵＳＣＨ送信が不可能であると決定するための手段と、利用可能なＵＬ  ＣＣを第１の無線周波数スペクトル帯域におけるＰＵＣＣＨ  ＣＣに限定するための手段とを含み得る。いくつかの例では、本装置は、サブフレームの間に第１の無線周波数スペクトル帯域において少なくとも１つのＰＵＳＣＨ送信が可能であると決定するための手段と、ＵＣＩが第１のタイプの情報を含むと決定するための手段と、第１のタイプの情報に少なくとも部分的に基づいて、利用可能なＵＬ  ＣＣを第１の無線周波数スペクトル帯域におけるＰＵＣＣＨ  ＣＣに限定するための手段とを含み得る。本装置のいくつかの例では、第１のタイプの情報は、ＳＲ、またはＡＣＫ）／ＮＡＫ、またはＳＲおよびＡＣＫ／ＮＡＫ、または周期的ＣＳＩを含み得る。
【００１９】
[0019]いくつかの例では、本装置は、サブフレームの間に第１の無線周波数スペクトル帯域において少なくとも１つのＰＵＳＣＨ送信が可能であると決定するための手段と、ＵＣＩが第２のタイプの情報を含むと決定するための手段と、第２のタイプの情報の第１の部分を送信するために、利用可能なＵＬ  ＣＣを第１の無線周波数スペクトル帯域におけるＰＵＳＣＨ  ＣＣに限定するための手段と、第２のタイプの情報の第２の部分を送信するために、利用可能なＵＬ  ＣＣを第１の無線周波数スペクトル帯域におけるＰＵＣＣＨ  ＣＣに限定するための手段とを含み得る。いくつかの例では、第２のタイプの情報は、周期的ＣＳＩと、ＳＲ、ＡＣＫ／ＮＡＫ、またはＳＲとＡＣＫ／ＮＡＫとの組合せのうちの少なくとも１つとを含み得る。本装置のいくつかの例では、第２のタイプの情報の第１の部分は周期的ＣＳＩを含み得、第２のタイプの情報の第２の部分はＳＲ、ＡＣＫ／ＮＡＫ、またはＳＲとＡＣＫ／ＮＡＫとの組合せを含み得る。
【００２０】
[0020]いくつかの例では、ＵＣＩは、少なくとも１つのタイプの周期的ＵＣＩを含み得る。いくつかの例では、ＵＣＩは、すべてのタイプの周期的ＵＣＩを含み得る。いくつかの例では、ＵＣＩは、非周期的ＣＳＩを含み得る。いくつかの例では、本装置は、第２の無線周波数スペクトル帯域における第１のＵＬ  ＣＣを通じて、サブフレームにおいて、第２の無線周波数スペクトル帯域における第１のＵＬ  ＣＣに関する非周期的ＣＳＩを送信するための手段を含み得る。いくつかの例では、本装置は、第１の無線周波数スペクトル帯域における第２のＵＬ  ＣＣを通じて、サブフレームにおいて、第１の無線周波数スペクトル帯域における第２のＵＬ  ＣＣに関する非周期的ＣＳＩを送信するための手段を含み得る。
【００２１】
[0021]ワイヤレス通信のための別の装置が説明される。一例では、本装置は、プロセッサと、プロセッサと電子通信しているメモリとを含む。プロセッサおよびメモリは、ＵＥに使用するＵＬ  ＣＣのセットを決定するように構成され得る。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。プロセッサおよびメモリは、サブフレームにおいて、送信予定のＵＣＩを識別するように構成され得る。ＵＣＩは、１つまたは複数のＣＣに関連付けられ得る。プロセッサおよびメモリは、ＵＣＩの送信に利用可能なＵＬ  ＣＣを、第１の無線周波数スペクトル帯域における少なくとも１つのＵＬ  ＣＣに限定するように構成され得る。
【００２２】
[0022]いくつかの例では、第１の無線周波数スペクトル帯域は専用無線周波数スペクトル帯域であってよく、第２の無線周波数スペクトル帯域は共有無線周波数スペクトル帯域であってよい。いくつかの例では、プロセッサおよびメモリは、アップリンクキャリアアグリゲーション動作のためのＵＬ  ＣＣのセットを決定するように構成され得る。いくつかの例では、プロセッサおよびメモリは、デュアル接続動作におけるＣＣの１次グループまたはＣＣの２次グループとして使用する、デュアル接続動作のためのＵＬ  ＣＣのセットを決定するように構成され得る。
【００２３】
[0023]いくつかの例では、プロセッサおよびメモリは、ＵＥがサブフレームの間の並列のＰＵＣＣＨおよびＰＵＳＣＨ送信のために構成されないと決定するように構成され得る。いくつかの例では、プロセッサおよびメモリは、サブフレームの間に第１の無線周波数スペクトル帯域においてＰＵＳＣＨ送信が不可能であると決定することと、利用可能なＵＬ  ＣＣを第１の無線周波数スペクトル帯域におけるＰＵＣＣＨ  ＣＣに限定することとを行うように構成され得る。いくつかの例では、プロセッサおよびメモリは、サブフレームの間に第１の無線周波数スペクトル帯域において少なくとも１つのＰＵＳＣＨ送信が可能であると決定することと、利用可能なＵＬ  ＣＣを第１の無線周波数スペクトル帯域における第１のＰＵＳＣＨ  ＣＣに限定することとを行うように構成され得る。いくつかの例では、プロセッサおよびメモリは、非周期的ＣＳＩがサブフレームの間に第１のＰＵＳＣＨ  ＣＣ上で送信されるようにトリガされることに少なくとも部分的に基づいて、第１のＰＵＳＣＨ  ＣＣを選択するように構成され得る。いくつかの例では、プロセッサおよびメモリは、第１のＰＵＳＣＨ  ＣＣに関連する第１のＣＣインデックスに少なくとも部分的に基づいて、第１のＰＵＳＣＨ  ＣＣを選択するように構成され得る。いくつかの例では、プロセッサおよびメモリは、第１のＣＣインデックスが第２のＰＵＳＣＨ  ＣＣに関連する第２のＣＣインデックスよりも低いことに少なくとも部分的に基づいて、第１のＰＵＳＣＨ  ＣＣを選択するように構成され得る。
【００２４】
[0024]いくつかの例では、プロセッサおよびメモリは、ＵＥがサブフレームの間の並列のＰＵＣＣＨおよびＰＵＳＣＨ送信のために構成されると決定するように構成され得る。いくつかの例では、プロセッサおよびメモリは、サブフレームの間に第１の無線周波数スペクトル帯域においてＰＵＳＣＨ送信が不可能であると決定することと、利用可能なＵＬ  ＣＣを第１の無線周波数スペクトル帯域におけるＰＵＣＣＨ  ＣＣに限定することとを行うように構成され得る。いくつかの例では、プロセッサおよびメモリは、サブフレームの間に第１の無線周波数スペクトル帯域において少なくとも１つのＰＵＳＣＨ送信が可能であると決定することと、ＵＣＩが第１のタイプの情報を含むと決定することと、第１のタイプの情報に少なくとも部分的に基づいて、利用可能なＵＬ  ＣＣを第１の無線周波数スペクトル帯域におけるＰＵＣＣＨ  ＣＣに限定することとを行うように構成され得る。いくつかの例では、第１のタイプの情報は、ＳＲ、ＡＣＫ）／ＮＡＫ、またはＳＲおよびＡＣＫ／ＮＡＫ、または周期的ＣＳＩを含み得る。
【００２５】
[0025]いくつかの例では、プロセッサおよびメモリは、サブフレームの間に第１の無線周波数スペクトル帯域において少なくとも１つのＰＵＳＣＨ送信が可能であると決定することと、ＵＣＩが第２のタイプの情報を含むと決定することと、第２のタイプの情報の第１の部分を送信するために、利用可能なＵＬ  ＣＣを第１の無線周波数スペクトル帯域におけるＰＵＳＣＨ  ＣＣに限定することと、第２のタイプの情報の第２の部分を送信するために、利用可能なＵＬ  ＣＣを第１の無線周波数スペクトル帯域におけるＰＵＣＣＨ  ＣＣに限定することとを行うように構成され得る。いくつかの例では、第２のタイプの情報は、周期的ＣＳＩと、ＳＲ、ＡＣＫ／ＮＡＫ、またはＳＲとＡＣＫ／ＮＡＫとの組合せのうちの少なくとも１つとを含み得る。本装置のいくつかの例では、第２のタイプの情報の第１の部分は周期的ＣＳＩを含み得、第２のタイプの情報の第２の部分はＳＲ、ＡＣＫ／ＮＡＫ、またはＳＲとＡＣＫ／ＮＡＫとの組合せを含み得る。
【００２６】
[0026]いくつかの例では、ＵＣＩは、少なくとも１つのタイプの周期的ＵＣＩを含み得る。いくつかの例では、ＵＣＩは、すべてのタイプの周期的ＵＣＩを含み得る。いくつかの例では、ＵＣＩは、非周期的ＣＳＩを含み得る。いくつかの例では、プロセッサおよびメモリは、第２の無線周波数スペクトル帯域における第１のＵＬ  ＣＣを通じて、サブフレームにおいて、第２の無線周波数スペクトル帯域における第１のＵＬ  ＣＣに関する非周期的ＣＳＩを送信するように構成され得る。いくつかの例では、プロセッサおよびメモリは、第１の無線周波数スペクトル帯域における第２のＵＬ  ＣＣを通じて、サブフレームにおいて、第１の無線周波数スペクトル帯域における第２のＵＬ  ＣＣに関する非周期的ＣＳＩを送信するように構成され得る。
【００２７】
[0027]ワイヤレス通信のためのコンピュータ実行可能コードを記憶する非一時的コンピュータ可読媒体が説明される。一例では、本コードは、ＵＥに使用するＵＬ  ＣＣのセットを決定するようにプロセッサによって実行可能であり得る。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。本コードはまた、サブフレームにおいて、送信予定のＵＣＩを識別するようにプロセッサによって実行可能であり得る。ＵＣＩは、１つまたは複数のＣＣに関連付けられ得る。本コードはまた、ＵＣＩの送信に利用可能なＵＬ  ＣＣを、第１の無線周波数スペクトル帯域における少なくとも１つのＵＬ  ＣＣに限定するようにプロセッサによって実行可能であり得る。
【００２８】
[0028]いくつかの例では、第１の無線周波数スペクトル帯域は専用無線周波数スペクトル帯域であってよく、第２の無線周波数スペクトル帯域は共有無線周波数スペクトル帯域であってよい。いくつかの例では、本コードは、アップリンクキャリアアグリゲーション動作のためのＵＬ  ＣＣのセットを決定するようにプロセッサによって実行可能であり得る。いくつかの例では、本コードは、デュアル接続動作におけるＣＣの１次グループまたはＣＣの２次グループとして使用する、デュアル接続動作のためのＵＬ  ＣＣのセットを決定するようにプロセッサによって実行可能であり得る。
【００２９】
[0029]いくつかの例では、本コードは、ＵＥがサブフレームの間の並列のＰＵＣＣＨ）およびＰＵＳＣＨ送信のために構成されないと決定するようにプロセッサによって実行可能であり得る。いくつかの例では、本コードは、サブフレームの間に第１の無線周波数スペクトル帯域においてＰＵＳＣＨ送信が不可能であると決定することと、利用可能なＵＬ  ＣＣを第１の無線周波数スペクトル帯域におけるＰＵＣＣＨ  ＣＣに限定することとを行うようにプロセッサによって実行可能であり得る。いくつかの例では、本コードは、サブフレームの間に第１の無線周波数スペクトル帯域において少なくとも１つのＰＵＳＣＨ送信が可能であると決定することと、利用可能なＵＬ  ＣＣを第１の無線周波数スペクトル帯域における第１のＰＵＳＣＨ  ＣＣに限定することとを行うようにプロセッサによって実行可能であり得る。いくつかの例では、本コードは、非周期的ＣＳＩがサブフレームの間に第１のＰＵＳＣＨ  ＣＣ上で送信されるようにトリガされることに少なくとも部分的に基づいて、第１のＰＵＳＣＨ  ＣＣを選択するようにプロセッサによって実行可能であり得る。いくつかの例では、本コードは、第１のＰＵＳＣＨ  ＣＣに関連する第１のＣＣインデックスに少なくとも部分的に基づいて、第１のＰＵＳＣＨ  ＣＣを選択するようにプロセッサによって実行可能であり得る。いくつかの例では、本コードは、第１のＣＣインデックスが第２のＰＵＳＣＨ  ＣＣに関連する第２のＣＣインデックスよりも低いことに少なくとも部分的に基づいて、第１のＰＵＳＣＨ  ＣＣを選択するようにプロセッサによって実行可能であり得る。
【００３０】
[0030]いくつかの例では、本コードは、ＵＥがサブフレームの間の並列のＰＵＣＣＨおよびＰＵＳＣＨ送信のために構成されると決定するようにプロセッサによって実行可能であり得る。いくつかの例では、本コードは、サブフレームの間に第１の無線周波数スペクトル帯域においてＰＵＳＣＨ送信が不可能であると決定することと、利用可能なＵＬ  ＣＣを第１の無線周波数スペクトル帯域におけるＰＵＣＣＨ  ＣＣに限定することとを行うようにプロセッサによって実行可能であり得る。いくつかの例では、本コードは、サブフレームの間に第１の無線周波数スペクトル帯域において少なくとも１つのＰＵＳＣＨ送信が可能であると決定することと、ＵＣＩが第１のタイプの情報を含むと決定することと、第１のタイプの情報に少なくとも部分的に基づいて、利用可能なＵＬ  ＣＣを第１の無線周波数スペクトル帯域におけるＰＵＣＣＨ  ＣＣに限定することとを行うようにプロセッサによって実行可能であり得る。いくつかの例では、第１のタイプの情報は、ＳＲ、またはＡＣＫ／ＮＡＫ、またはＳＲおよびＡＣＫ／ＮＡＫ、または周期的ＣＳＩを含み得る。
【００３１】
[0031]いくつかの例では、本コードは、サブフレームの間に第１の無線周波数スペクトル帯域において少なくとも１つのＰＵＳＣＨ送信が可能であると決定することと、ＵＣＩが第２のタイプの情報を含むと決定することと、第２のタイプの情報の第１の部分を送信するために、利用可能なＵＬ  ＣＣを第１の無線周波数スペクトル帯域におけるＰＵＳＣＨ  ＣＣに限定することと、第２のタイプの情報の第２の部分を送信するために、利用可能なＵＬ  ＣＣを第１の無線周波数スペクトル帯域におけるＰＵＣＣＨ  ＣＣに限定することとを行うようにプロセッサによって実行可能であり得る。いくつかの例では、第２のタイプの情報は、周期的ＣＳＩと、ＳＲ、ＡＣＫ／ＮＡＫ、またはＳＲとＡＣＫ／ＮＡＫとの組合せのうちの少なくとも１つとを含み得る。いくつかの例では、第２のタイプの情報の第１の部分は周期的ＣＳＩを含み得、第２のタイプの情報の第２の部分はＳＲ、ＡＣＫ／ＮＡＫ、またはＳＲとＡＣＫ／ＮＡＫとの組合せを含み得る。
【００３２】
[0032]いくつかの例では、ＵＣＩは、少なくとも１つのタイプの周期的ＵＣＩを含み得る。いくつかの例では、ＵＣＩは、すべてのタイプの周期的ＵＣＩを含み得る。いくつかの例では、ＵＣＩは、非周期的ＣＳＩを含み得る。いくつかの例では、本コードは、第２の無線周波数スペクトル帯域における第１のＵＬ  ＣＣを通じて、サブフレームにおいて、第２の無線周波数スペクトル帯域における第１のＵＬ  ＣＣに関する非周期的ＣＳＩを送信するようにプロセッサによって実行可能であり得る。いくつかの例では、本コードは、第１の無線周波数スペクトル帯域における第２のＵＬ  ＣＣを通じて、サブフレームにおいて、第１の無線周波数スペクトル帯域における第２のＵＬ  ＣＣに関する非周期的ＣＳＩを送信するようにプロセッサによって実行可能であり得る。
【００３３】
[0033]上記では、以下の発明を実施するための形態がよりよく理解され得るように、本開示による例の特徴および技術的利点をかなり広く概説した。さらなる特徴および利点が以下で説明される。開示される概念および具体例は、本開示の同じ目的を実施するための他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、以下の説明から、添付の図に関連して検討されるとよりよく理解されよう。図の各々は、例示および説明の目的で与えられるものであり、特許請求の範囲の制限の定義として与えられるものではない。
【００３４】
[0034]以下の図面を参照することによって、本発明の性質および利点のさらなる理解が得られ得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。本明細書で第１の参照ラベルが使用される場合、説明は、第２の参照ラベルにかかわらず、同じ第１の参照ラベルを有する同様の構成要素のいずれにも適用可能である。
【図面の簡単な説明】
【００３５】
【図１】[0035]本開示の様々な態様による、ワイヤレス通信システムの例を示す図。
【図２】[0036]本開示の様々な態様による、共有無線周波数スペクトル帯域を使用する様々な状況の下でＬＴＥ（登録商標）／ＬＴＥ−Ａが展開され得るワイヤレス通信システムを示す図。
【図３】[0037]本開示の様々な態様による、共有無線周波数スペクトル帯域を通じたワイヤレス通信の例を示す図。
【図４】[0038]本開示の様々な態様による、キャリアアグリゲーション状況においてＬＴＥ／ＬＴＥ−Ａが展開され得るワイヤレス通信システムを示す図。
【図５】[0039]本開示の様々な態様による、デュアル接続状況（たとえば、多地点協調（ＣｏＭＰ）状況）においてＬＴＥ／ＬＴＥ−Ａが展開され得るワイヤレス通信システムを示す図。
【図６】[0040]本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセットを示す図。
【図７Ａ】[0041]本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセットを示す図。
【図７Ｂ】[0042]本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセットを示す図。
【図８Ａ】[0043]本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセットを示す図。
【図８Ｂ】[0044]本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセットを示す図。
【図９】[0045]本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセットを示す図。
【図１０】[0046]本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセットを示す図。
【図１１】[0047]本開示の様々な態様による、ワイヤレス通信において使用するための装置のブロック図。
【図１２】[0048]本開示の様々な態様による、ワイヤレス通信において使用するための装置のブロック図。
【図１３】[0049]本開示の様々な態様による、ワイヤレス通信において使用するためのＵＥのブロック図。
【図１４】[0050]本開示の様々な態様による、ワイヤレス通信のための方法の例を示すフローチャート。
【図１５】[0051]本開示の様々な態様による、ワイヤレス通信のための方法の例を示すフローチャート。
【図１６】[0052]本開示の様々な態様による、ワイヤレス通信のための方法の例を示すフローチャート。
【図１７】[0053]本開示の様々な態様による、ワイヤレス通信のための方法の例を示すフローチャート。
【発明を実施するための形態】
【００３６】
[0054]ワイヤレス通信システムを通じた通信の少なくとも一部分のために共有無線周波数スペクトル帯域が使用される技法が説明される。いくつかの例では、共有無線周波数スペクトル帯域は、ロングタームエボリューション（ＬＴＥ）通信またはＬＴＥアドバンスト（ＬＴＥ−Ａ）通信のために使用され得る。共有無線周波数スペクトル帯域は、専用無線周波数スペクトル帯域と組み合わせて、または専用無線周波数スペクトル帯域から独立して使用され得る。専用無線周波数スペクトル帯域は、ＬＴＥ／ＬＴＥ−Ａ通信のために使用可能な免許無線周波数スペクトル帯域のような、一部のユーザに免許されているので送信装置がアクセスを争わなくてよい無線周波数スペクトル帯域であり得る。共有無線周波数スペクトル帯域は、デバイスがアクセスを争い得る無線周波数スペクトル帯域（たとえば、Ｗｉ−Ｆｉ（登録商標）用途のような免許不要（unlicensed）の用途に利用可能である無線周波数スペクトル帯域、または同等共有もしくは優先度付けの方法で複数の事業者による使用が可能である無線周波数スペクトル帯域）であり得る。
【００３７】
[0055]専用無線周波数スペクトル帯域を使用するセルラーネットワークにおけるデータトラフィックの増加とともに、共有無線周波数スペクトル帯域への少なくとも一部のデータトラフィックのオフロードは、セルラー事業者（たとえば、パブリックランドモバイルネットワーク（ＰＬＭＮ：public land mobile network）またはＬＴＥ／ＬＴＥ−Ａネットワークのようなセルラーネットワークを定義する基地局の協調させられたセットの事業者）にデータ送信容量の増強のための機会を与え得る。共有無線周波数スペクトル帯域の使用はまた、専用無線周波数スペクトル帯域へのアクセスが不可能であるエリアにおいてサービスを提供し得る。上述のように、共有無線周波数スペクトル帯域を通じて通信する前に、送信装置は、媒体にアクセスするためにリッスンビフォアトーク（ＬＢＴ）手順を実行し得る。そのようなＬＢＴ手順は、共有無線周波数スペクトル帯域のチャネルが利用可能であるかどうかを決定するために、クリアチャネルアセスメント（ＣＣＡ）手順（または拡張ＣＣＡ手順）を実行することを含み得る。共有無線周波数スペクトル帯域のチャネルが利用可能であると決定されたとき、チャネルを予約するためにチャネル使用ビーコン信号（ＣＵＢＳ）が送信され得る。チャネルが利用可能ではないと決定されたとき、ＣＣＡ手順（または拡張ＣＣＡ手順）が後で再びチャネルに関して実行され得る。
【００３８】
[0056]ユーザ機器（ＵＥ）が共有無線周波数スペクトル帯域へのアクセスの争いに勝った後、ＵＥは、アップリンク上で基地局と通信し得る。いくつかの例では、ＵＥは、アップリンクキャリアアグリゲーションモードまたはデュアル接続モードでアップリンク（ＵＬ）上で通信し得る。ＵＥがまた、専用無線周波数スペクトル帯域における少なくとも１つのＵＬコンポーネントキャリア（ＣＣ）と共有無線周波数スペクトル帯域における少なくとも１つのＵＬ  ＣＣとを使用して基地局と通信しているとき、ＵＥは、アップリンク制御情報（ＵＣＩ）を送信するために、専用無線周波数スペクトル帯域におけるＵＬ  ＣＣおよび／または共有無線周波数スペクトル帯域におけるＵＬ  ＣＣを選択しなければならないことがある。いくつかの状況では、専用無線周波数スペクトル帯域におけるＵＬ  ＣＣは、共有無線周波数スペクトル帯域におけるＵＬ  ＣＣよりも信頼性が高いことがあり、ＵＣＩ（たとえば、スケジューリング要求（ＳＲ）、肯定応答（ＡＣＫ）／否定応答（ＮＡＫ）、周期的チャネル状態情報（ＣＳＩ）、または非周期的ＣＳＩのうちの１つまたは複数）を送信するために、専用無線周波数スペクトル帯域におけるＵＬ  ＣＣを選択するようにＵＥを構成すること、またはＵＥにバイアスをかけることは有用であり得る。
【００３９】
[0057]以下の説明は、例を与えるものであり、特許請求の範囲に記載された範囲、適用可能性、または例を限定するものではない。本開示の範囲から逸脱することなく、論じられる要素の機能および構成に変更が行われ得る。様々な例は、適宜、様々な手順または構成要素を省略、置換、または追加し得る。たとえば、説明される方法は、説明される順序とは異なる順序で実行され得、様々なステップが追加、省略、または組み合わされ得る。また、いくつかの例に関して説明される特徴は、他の例において組み合わされ得る。
【００４０】
[0058]図１は、本開示の様々な態様による、ワイヤレス通信システム１００の例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通じてコアネットワーク１３０とインターフェースし得、ＵＥ１１５との通信のための無線構成およびスケジューリングを実行し得るか、または基地局コントローラ（図示されず）の制御下で動作し得る。様々な例では、基地局１０５は、ワイヤードまたはワイヤレス通信リンクであり得るバックホールリンク１３４（たとえば、Ｘ１など）を通じて互いに直接または間接的に（たとえば、コアネットワーク１３０を通じて）通信し得る。
【００４１】
[0059]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタ（図示されず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００４２】
[0060]いくつかの例では、ワイヤレス通信システム１００はＬＴＥ／ＬＴＥ−Ａネットワークを含み得る。ＬＴＥ／ＬＴＥ−Ａネットワークでは、発展型Ｎｏｄｅ  Ｂ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアもしくはコンポーネントキャリア、またはキャリアもしくは基地局のカバレージエリア（たとえば、セクタなど）を表すために使用され得る３ＧＰＰ（登録商標）用語である。
【００４３】
[0061]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、専用、共有などの）無線周波数スペクトル帯域において動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）をもカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００４４】
[0062]ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００４５】
[0063]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを通じて通信するためにパケットセグメンテーションとリアセンブリとを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００４６】
[0064]ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいは当業者によってそのような用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００４７】
[0065]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は、順方向リンク送信と呼ばれる場合もあり、アップリンク送信は、逆方向リンク送信と呼ばれる場合もある。いくつかの例では、ＵＬ送信はアップリンク制御情報の送信を含み得、アップリンク制御情報はアップリンク制御チャネル（たとえば、物理アップリンク制御チャネル（ＰＵＣＣＨ）または拡張ＰＵＣＣＨ（ｅＰＵＣＣＨ））を通じて送信され得る。アップリンク制御情報は、たとえば、ダウンリンク送信の肯定応答（ＡＣＫ）もしくは否定応答（ＮＡＫ）、またはチャネル状態情報（ＣＳＩ）を含み得る。ＵＬ送信はデータの送信をも含み得、データは、物理アップリンク共有チャネル（ＰＵＳＣＨ）または拡張ＰＵＳＣＨ（ｅＰＵＳＣＨ）を通じて送信され得る。ＵＬ送信はまた、スケジューリング要求（ＳＲ）または拡張ＳＲ（ｅＳＲ）の送信を含み得る。ＰＵＣＣＨ、ＰＵＳＣＨ、またはＳＲへの本開示における言及は、それぞれのｅＰＵＣＣＨ、ｅＰＵＳＣＨ、またはｅＳＲへの言及を本質的に含むと推定される。
【００４８】
[0066]いくつかの例では、各通信リンク１２５は１つまたは複数のキャリアを含み得、ここで、各キャリアは、上で説明された様々な無線技術に従って変調された複数のサブキャリア（たとえば、異なる周波数の波形信号）から成る信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００４９】
[0067]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００５０】
[0068]ワイヤレス通信システム１００は、複数のセルまたはキャリア上での動作、すなわち、キャリアアグリゲーション（ＣＡ）またはデュアル接続動作と呼ばれることがある機能をサポートし得る。キャリアは、コンポーネントキャリア（ＣＣ）、レイヤ、チャネルなどと呼ばれる場合もある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００５１】
[0069]ＬＴＥ／ＬＴＥ−Ａネットワークでは、ＵＥ１１５は、キャリアアグリゲーションモードまたはデュアル接続モードで動作するときに最大５つのＣＣを使用して通信するように構成され得る。ＣＣのうちの１つまたは複数はＤＬ  ＣＣとして構成され得、ＣＣのうちの１つまたは複数はＵＬ  ＣＣとして構成され得る。
【００５２】
[0070]いくつかの例では、ワイヤレス通信システム１００は、専用無線周波数スペクトル帯域（たとえば、無線周波数スペクトル帯域は、ＬＴＥ／ＬＴＥ−Ａ通信のために使用可能な免許無線周波数スペクトル帯域のような、様々な用途のために１人もしくは複数のユーザに免許されているので送信装置がアクセスを争わなくてよい無線周波数スペクトル帯域）または共有無線周波数スペクトル帯域（たとえば、送信装置がアクセスを争い得る無線周波数スペクトル帯域（たとえば、Ｗｉ−Ｆｉ用途のような免許不要の用途に利用可能である無線周波数スペクトル帯域、もしくは同等共有もしくは優先度付けの方法で複数の事業者による使用が可能である無線周波数スペクトル帯域））を通じた動作をサポートし得る。共有無線周波数スペクトル帯域へのアクセスの争いに勝つと、送信装置（たとえば、基地局１０５またはＵＥ１１５）は、共有無線周波数スペクトル帯域を通じて１つまたは複数のＣＵＢＳを送信し得る。ＣＵＢＳは、共有無線周波数スペクトル帯域上で検出可能なエネルギーを与えることによって、共有無線周波数スペクトルを確保し得る。ＣＵＢＳはまた、送信装置を識別するように働くか、または送信装置と受信装置とを同期させるように働き得る。
【００５３】
[0071]図２は、本開示の様々な態様による、共有無線周波数スペクトル帯域を使用する様々な状況の下でＬＴＥ／ＬＴＥ−Ａが展開され得るワイヤレス通信システム２００を示す。より詳細には、図２は、共有無線周波数スペクトル帯域を使用してＬＴＥ／ＬＴＥ−Ａが展開される補助ダウンリンクモード（共有ダウンリンクモードとも呼ばれる）、キャリアアグリゲーションモード、およびスタンドアロンモードの例を示す。ワイヤレス通信システム２００は、図１を参照しながら説明されたワイヤレス通信システム１００の部分の例であり得る。その上、第１の基地局２０５および第２の基地局２０５−ａは、図１を参照しながら説明された基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明されたＵＥ１１５のうちの１つまたは複数の態様の例であり得る。
【００５４】
[0072]ワイヤレス通信システム２００における補助ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトル帯域における周波数Ｆ１に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、専用無線周波数スペクトル帯域における周波数Ｆ４に関連付けられ得る。共有無線周波数スペクトル帯域におけるダウンリンクチャネル２２０、および専用無線周波数スペクトル帯域における第１の双方向リンク２２５は、同時に動作し得る。ダウンリンクチャネル２２０は、第１の基地局２０５にダウンリンク容量のオフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。この状況は、専用無線周波数スペクトルを使用し、トラフィックまたはシグナリングの混雑の一部を緩和する必要がある、任意のサービスプロバイダ（たとえば、モバイルネットワーク事業者（ＭＮＯ））に対して生じ得る。
【００５５】
[0073]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有無線周波数スペクトル帯域における周波数Ｆ１に関連付けられ得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトル帯域における周波数Ｆ２に関連付けられ得る。第２の双方向リンク２３０は、第１の基地局２０５にダウンリンク容量およびアップリンク容量のオフロードを提供し得る。上で説明された補助ダウンリンクのように、この状況は、専用無線周波数スペクトルを使用し、トラフィックまたはシグナリングの混雑の一部を緩和する必要がある、任意のサービスプロバイダ（たとえば、ＭＮＯ）に対して生じ得る。
【００５６】
[0074]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトル帯域における周波数Ｆ３に関連付けられ得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトル帯域における周波数Ｆ２に関連付けられ得る。第４の双方向リンク２４０は、第１の基地局２０５にダウンリンク容量およびアップリンク容量のオフロードを提供し得る。この例および上で与えられた例は説明の目的で提示され、容量オフロードのために、専用無線周波数スペクトル帯域におけるＬＴＥ／ＬＴＥ−Ａを組み合わせ、共有無線周波数スペクトル帯域を使用する他の同様の動作モードまたは展開状況があり得る。
【００５７】
[0075]上で説明されたように、共有無線周波数スペクトル帯域においてＬＴＥ／ＬＴＥ−Ａを使用することによって提供される容量オフロードから利益を得ることがある１つのタイプのサービスプロバイダは、ＬＴＥ／ＬＴＥ−Ａ専用無線周波数スペクトル帯域へのアクセス権を有する従来のＭＮＯである。これらのサービスプロバイダにとって、運用上の例としては、専用無線周波数スペクトル帯域上のＬＴＥ／ＬＴＥ−Ａ１次コンポーネントキャリア（ＰＣＣ）と共有無線周波数スペクトル帯域上の少なくとも１つの２次コンポーネントキャリア（ＳＣＣ）とを使用するブートストラップモード（たとえば、補助ダウンリンク、キャリアアグリゲーション）があり得る。
【００５８】
[0076]キャリアアグリゲーションモードでは、データおよび制御は、たとえば、（たとえば、第１の双方向リンク２２５と、第３の双方向リンク２３５と、第５の双方向リンク２４５とを介して）専用無線周波数スペクトル帯域において通信され得、データは、たとえば、（たとえば、第２の双方向リンク２３０と第４の双方向リンク２４０とを介して）共有無線周波数スペクトル帯域において通信され得る。共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００５９】
[0077]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトル帯域における周波数Ｆ３に関連付けられ得る。スタンドアロンモードは、スタジアム内アクセス（たとえば、ユニキャスト、マルチキャスト）など、非従来型のワイヤレスアクセスの状況において使用され得る。この動作モードのためのサービスプロバイダのタイプの例は、専用無線周波数スペクトル帯域へのアクセスを有しないスタジアム所有者、ケーブル会社、イベント主催者、ホテル、企業、または大企業であり得る。
【００６０】
[0078]いくつかの例では、図１もしくは図２を参照しながら説明された基地局１０５、２０５、もしくは２０５−ａのうちの１つ、または図１もしくは図２を参照しながら説明されたＵＥ１１５、２１５、２１５−ａ、２１５−ｂ、もしくは２１５−ｃのうちの１つのような送信装置は、共有無線周波数スペクトル帯域のチャネルに（たとえば、共有無線周波数スペクトル帯域の物理チャネルに）アクセスするためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州電気通信標準化機構（ＥＴＳＩ）（ＥＮ３０１  ８９３）において指定されているＬＢＴプロトコルに基づくＬＢＴプロトコルのような、コンテンションベースのプロトコルの適用を定義し得る。ＬＢＴプロトコルの適用を定義するゲーティング間隔を使用するとき、ゲーティング間隔は、送信装置がクリアチャネルアセスメント（ＣＣＡ）手順のようなコンテンション手順（たとえば、ＬＢＴ手順）を実行する必要があるときを示し得る。ＣＣＡ手順の結果は、共有無線周波数スペクトル帯域のチャネルが（ＬＢＴ無線フレームとも呼ばれる）ゲーティング間隔のために利用可能であるか使用中であるかを送信装置に示し得る。チャネルが、対応するＬＢＴ無線フレームに利用可能である（たとえば、使用のために「空いている」）ことをＣＣＡ手順が示すとき、送信装置は、ＬＢＴ無線フレームの一部または全部の間に共有無線周波数スペクトル帯域のチャネルを予約または使用し得る。チャネルが利用可能ではないこと（たとえば、チャネルが別の送信装置によって使用中であるか、または予約されていること）をＣＣＡ手順が示すとき、送信装置は、ＬＢＴ無線フレームの間にチャネルを使用することを妨げられ得る。
【００６１】
[0079]図３は、本開示の様々な態様による、共有無線周波数スペクトル帯域を通じたワイヤレス通信３１０の例３００を示す。いくつかの例では、ワイヤレス通信３１０は、１つまたは複数のアップリンクコンポーネントキャリアの送信を含み得、アップリンクコンポーネントキャリアは、たとえば、図２を参照しながら説明された補助ダウンリンクモード、キャリアアグリゲーションモード、もしくはスタンドアロンモード、図４を参照しながら説明されるキャリアアグリゲーションモード、および／または図５を参照しながら説明されるデュアル接続モードに従って行われる送信モードの一部として送信され得る。
【００６２】
[0080]いくつかの例では、ワイヤレス通信３１０のＬＢＴ無線フレーム３１５は、１０ミリ秒の持続時間を有し、いくつかのダウンリンク（Ｄ）サブフレーム３２０と、いくつかのアップリンク（Ｕ）サブフレーム３２５と、２つのタイプの特殊サブフレーム、Ｓサブフレーム３３０およびＳ’サブフレーム３３５とを含み得る。Ｓサブフレーム３３０は、ダウンリンクサブフレーム３２０とアップリンクサブフレーム３２５との間の遷移をもたらし得る一方、Ｓ’サブフレーム３３５は、アップリンクサブフレーム３２５とダウンリンクサブフレーム３２０との間の遷移、およびいくつかの例ではＬＢＴ無線フレーム間の遷移をもたらし得る。
【００６３】
[0081]Ｓ’サブフレーム３３５の間に、図１または図２を参照しながら説明された基地局１０５、２０５、または２０５−ａのうちの１つまたは複数のような、１つまたは複数の基地局によって、ワイヤレス通信３１０が生じる共有無線周波数スペクトル帯域のチャネルをある時間期間の間予約するために、ダウンリンククリアチャネルアセスメント（ＤＣＣＡ）手順３４５が実行され得る。基地局によるＤＣＣＡ手順３４５の成功に続いて、基地局は、基地局がチャネルを予約したという指示を他の基地局または装置（たとえば、ＵＥ、Ｗｉ−Ｆｉアクセスポイントなど）に提供するために、ＣＵＢＳ（たとえば、ダウンリンクＣＵＢＳ（Ｄ−ＣＵＢＳ３５０））を送信し得る。いくつかの例では、Ｄ−ＣＵＢＳ３５０は、複数のインターリーブされたリソースブロックを使用して送信され得る。この方式でＤ−ＣＵＢＳ３５０を送信することで、Ｄ−ＣＵＢＳ３５０は、共有無線周波数スペクトル帯域の利用可能な周波数帯域幅の少なくともある割合を占有し、１つまたは複数の規制上の要件（たとえば、共有無線周波数スペクトル帯域を通じた送信が利用可能な周波数帯域幅の少なくとも８０％を占有するという要件）を満たすことが可能になり得る。Ｄ−ＣＵＢＳ３５０は、いくつかの例では、ＬＴＥ／ＬＴＥ−Ａ共通基準信号（ＣＲＳ）またはチャネル状態情報基準信号（ＣＳＩ−ＲＳ）の形態と同様の形態をとり得る。ＤＣＣＡ手順３４５が失敗したとき、Ｄ−ＣＵＢＳ３５０は送信されなくてよい。
【００６４】
[0082]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮アップリンク（Ｕ）期間としていくつかのＵＥによって使用され得る。Ｓ’サブフレーム３３５の第２の部分は、ＤＣＣＡ手順３４５のために使用され得る。Ｓ’サブフレーム３３５の第３の部分は、Ｄ−ＣＵＢＳ３５０を送信するために共有無線周波数スペクトル帯域のチャネルへのアクセスを正常に争う１つまたは複数の基地局によって使用され得る。
【００６５】
[0083]Ｓサブフレーム３３０の間に、図１または図２を参照しながら上で説明されたＵＥ１１５、２１５、２１５−ａ、２１５−ｂ、または２１５−ｃのうちの１つまたは複数のような、１つまたは複数のＵＥによって、ワイヤレス通信３１０が生じるチャネルをある時間期間の間予約するために、アップリンクＣＣＡ（ＵＣＣＡ）手順３６５が実行され得る。ＵＥによるＵＣＣＡ手順３６５の成功に続いて、ＵＥは、ＵＥがチャネルを予約したという指示を他のＵＥまたは装置（たとえば、基地局、Ｗｉ−Ｆｉアクセスポイントなど）に提供するために、アップリンクＣＵＢＳ（Ｕ−ＣＵＢＳ３７０）を送信し得る。いくつかの例では、Ｕ−ＣＵＢＳ３７０は、複数のインターリーブされたリソースブロックを使用して送信され得る。この方式でＵ−ＣＵＢＳ３７０を送信することで、Ｕ−ＣＵＢＳ３７０は、共有無線周波数スペクトル帯域の利用可能な周波数帯域幅の少なくともある割合を占有し、１つまたは複数の規制上の要件（たとえば、共有無線周波数スペクトル帯域を通じた送信が利用可能な周波数帯域幅の少なくとも８０％を占有するという要件）を満たすことが可能になり得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。ＵＣＣＡ手順３６５が失敗したとき、Ｕ−ＣＵＢＳ３７０は送信されなくてよい。
【００６６】
[0084]Ｓサブフレーム３３０は、複数のＯＦＤＭシンボル期間（たとえば、１４個のＯＦＤＭシンボル期間）を含み得る。Ｓサブフレーム３３０の第１の部分は、短縮ダウンリンク（Ｄ）期間３５５としていくつかの基地局によって使用され得る。Ｓサブフレーム３３０の第２の部分は、ガード期間（ＧＰ）３６０として使用され得る。Ｓサブフレーム３３０の第３の部分は、ＵＣＣＡ手順３６５のために使用され得る。Ｓサブフレーム３３０の第４の部分は、アップリンクパイロットタイムスロット（ＵｐＰＴＳ）として、またはＵ−ＣＵＢＳ３７０を送信するために共有無線周波数スペクトル帯域のチャネルへのアクセスを正常に争う１つまたは複数のＵＥによって使用され得る。
【００６７】
[0085]いくつかの例では、ＤＣＣＡ手順３４５またはＵＣＣＡ手順３６５は、単一のＣＣＡ手順の実行を含み得る。他の例では、ＤＣＣＡ手順３４５またはＵＣＣＡ手順３６５は、拡張ＣＣＡ手順の実行を含み得る。拡張ＣＣＡ手順は、ランダムな数のＣＣＡ手順を含み得、いくつかの例では複数のＣＣＡ手順を含み得る。
【００６８】
[0086]図４は、本開示の様々な態様による、キャリアアグリゲーション状況においてＬＴＥ／ＬＴＥ−Ａが展開され得るワイヤレス通信システム４００を示す。ワイヤレス通信システム４００は、図１または図２を参照しながら説明されたワイヤレス通信システム１００または２００の部分の例であり得る。その上、基地局４０５は、図１または図２を参照しながら説明された基地局１０５、２０４、または２０５−ａのうちの１つまたは複数の態様の例であり得、ＵＥ４１５は、図１または図２を参照しながら説明されたＵＥ１１５、２１５、２１５−ａ、２１５−ｂ、または２１５−ｃのうちの１つまたは複数の態様の例であり得る。
【００６９】
[0087]ＬＴＥ／ＬＴＥ−Ａ通信を使用してキャリアアグリゲーションモードで通信するとき、ＵＥ４１５は、最大５つのＣＣを使用して基地局４０５と通信し得る。ＣＣのうちの１つは１次ＣＣに指定され得、残りのＣＣは２次ＣＣに指定され得る。各ＣＣは、ＤＬ  ＣＣ、ＵＬ  ＣＣ、またはセル（たとえば、ＤＬ  ＣＣおよび／もしくはＵＬ  ＣＣとして使用するように構成され得るＣＣ）として構成され得る。例として、図４は、第１のＣＣ４２０と、第２のＣＣ４２５と、第３のＣＣ４３０と、第４のＣＣ４３５と、第５のＣＣ４４０とを含む、５つのＣＣを通じたＵＥ４１５と基地局４０５との間の通信を示している。第１のＣＣ４２０、第２のＣＣ４２５、第３のＣＣ４３０、第４のＣＣ４３５、および第５のＣＣ４４０の各々は、どのようにＣＣが割り振られ、または構成されるかに応じて、専用無線周波数スペクトル帯域または共有無線周波数スペクトル帯域において動作し得る。
【００７０】
[0088]ＵＥ４１５が図２を参照しながら説明されたように共有無線周波数スペクトル帯域を使用する補助ダウンリンク動作モードでの動作のために構成されるとき、およびＵＥ４１５がキャリアアグリゲーションモードで動作しているとき、第１のＣＣ４２０、第２のＣＣ４２５、第３のＣＣ４３０、第４のＣＣ４３５、または第５のＣＣ４４０のうちの１つまたは複数は、専用無線周波数スペクトル帯域におけるＵＬ  ＣＣまたはＤＬ  ＣＣとして動作し得、第１のＣＣ４２０、第２のＣＣ４２５、第３のＣＣ４３０、第４のＣＣ４３５、または第５のＣＣ４４０のうちの１つまたは複数は、共有無線周波数スペクトル帯域におけるＤＬ  ＣＣとして動作し得る。
【００７１】
[0089]ＵＥ４１５が図２を参照しながら説明されたように共有無線周波数スペクトル帯域を使用するキャリアアグリゲーション動作モードでの動作のために構成されるとき、第１のＣＣ４２０、第２のＣＣ４２５、第３のＣＣ４３０、第４のＣＣ４３５、または第５のＣＣ４４０のうちの１つまたは複数は、専用無線周波数スペクトル帯域におけるＵＬ  ＣＣまたはＤＬ  ＣＣとして動作し得、第１のＣＣ４２０、第２のＣＣ４２５、第３のＣＣ４３０、第４のＣＣ４３５、または第５のＣＣ４４０のうちの１つまたは複数は、共有無線周波数スペクトル帯域におけるＤＬ  ＣＣまたはＵＬ  ＣＣとして動作し得る。いくつかの例では、ＤＬ  ＣＣのすべてが専用無線周波数スペクトル帯域において動作し得るか、またはＵＬ  ＣＣのすべてが共有無線周波数スペクトル帯域において動作し得るが、ＤＬ  ＣＣのすべておよびＵＬ  ＣＣのすべてが共有無線周波数スペクトル帯域において動作し得るとは限らない（たとえば、少なくとも１つのＤＬ  ＣＣまたは少なくともＵＬ  ＣＣが専用無線周波数スペクトル帯域において動作する）。
【００７２】
[0090]ＵＥ４１５が図２を参照しながら説明されたように共有無線周波数スペクトル帯域を使用するスタンドアロン動作モードでの動作のために構成されるとき、およびＵＥ４１５がキャリアアグリゲーションモードで動作しているとき、第１のＣＣ４２０、第２のＣＣ４２５、第３のＣＣ４３０、第４のＣＣ４３５、および第５のＣＣ４４０の各々は、共有無線周波数スペクトル帯域において動作し得る。
【００７３】
[0091]図５は、本開示の様々な態様による、デュアル接続状況（たとえば、多地点協調（ＣｏＭＰ）状況）においてＬＴＥ／ＬＴＥ−Ａが展開され得るワイヤレス通信システム５００を示す。ワイヤレス通信システム５００は、図１、図２、または図４を参照しながら説明されたワイヤレス通信システム１００、２００、または４００の部分の例であり得る。その上、第１の基地局５０５および第２の基地局５０５−ａは、図１、図２、または図４を参照しながら説明された基地局１０５、２０５、２０５−ａ、または４０５のうちの１つまたは複数の態様の例であり得、ＵＥ５１５は、図１、図２、または図４を参照しながら説明されたＵＥ１１５、２１５、２１５−ａ、２１５−ｂ、２１５−ｃ、または４１５のうちの１つまたは複数の態様の例であり得る。
【００７４】
[0092]ＬＴＥ／ＬＴＥ−Ａ通信を使用してデュアル接続モードで通信するとき、ＵＥ５１５は、最大５つのＣＣを使用して、第１の基地局５０５および第２の基地局５０５−ａのような複数の基地局と通信し得る。ＣＣのうちの１つは１次ＣＣに指定され得、残りのＣＣは２次ＣＣに指定され得る。各ＣＣは、ＤＬ  ＣＣ、ＵＬ  ＣＣ、またはセル（たとえば、ＤＬ  ＣＣおよび／もしくはＵＬ  ＣＣとして使用するように構成され得るＣＣ）として構成され得る。例として、図５は、第１のＣＣ５２０と、第２のＣＣ５２５と、第３のＣＣ５３０とを含む、３つのＣＣを通じたＵＥ５１５と基地局５０５との間の通信を示している。いくつかの例では、（第１の基地局５０５と通信している）第１のＣＣ５２０および第２のＣＣ５２５は、デュアル接続動作におけるＣＣの１次グループ５３５として構成され得、（第２の基地局５０５−ａと通信している）第３のＣＣ５３０は、デュアル接続動作におけるＣＣの２次グループ５４０として構成され得る。第１のＣＣ５２０、第２のＣＣ５２５、および第３のＣＣ５３０は、たとえば図４を参照しながら説明されたように、コンポーネントキャリアがキャリアアグリゲーション動作モードにおいて使用され得る方法と同様に、専用無線周波数スペクトル帯域または共有無線周波数スペクトル帯域を使用する様々な動作モードのために構成され得る。
【００７５】
[0093]ＵＥが（たとえば、アップリンクキャリアアグリゲーション動作またはデュアル接続動作による）ＬＴＥ／ＬＴＥ−Ａ通信のために使用可能な専用無線周波数スペクトル帯域におけるＵＬ  ＣＣのセットを通じて基地局に送信するとき、ＵＥは、サブフレームの間に、専用無線周波数スペクトル帯域におけるＵＬ  ＣＣのうちの１つを通じてＵＣＩを送信することに限定され得る。たとえば、ＵＥがサブフレームの間の並列のＰＵＣＣＨおよびＰＵＳＣＨ送信のために構成されず、サブフレームの間にＰＵＳＣＨ送信が不可能であるとき、ＵＥはＰＵＣＣＨ  ＣＣ上でＵＣＩを送信し得る。ＵＥがサブフレームの間の並列のＰＵＣＣＨおよびＰＵＳＣＨ送信のために構成され、サブフレームの間にＰＵＳＣＨ送信が可能であるとき、ＵＥはＰＵＳＣＨ  ＣＣ上でＵＣＩを送信し得る。非周期的ＣＳＩがサブフレームの間にＰＵＳＣＨ上で送信されるようにトリガされるとき、非周期的ＣＳＩが送信されるようにトリガされるＰＵＳＣＨ  ＣＣが、ＵＣＩの送信のために選択され得る。ＬＴＥ／ＬＴＥ−Ａ規格は、非周期的ＣＳＩがサブフレームの間に１つのＰＵＳＣＨ  ＣＣ上で送信されるようにトリガされ得ることを規定している。非周期的ＣＳＩがサブフレームの間にＰＵＳＣＨ上で送信されるようにトリガされないとき、最も低いＣＣインデックスを有するＰＵＳＣＨ  ＣＣが、ＵＣＩの送信のために選択され得る。ＵＥがサブフレームの間の並列のＰＵＣＣＨおよびＰＵＳＣＨ送信のために構成され、サブフレームの間にＰＵＳＣＨ送信が不可能であるとき、ＵＥはＰＵＣＣＨ  ＣＣ上でＵＣＩを送信し得る。ＵＥがサブフレームの間の並列のＰＵＣＣＨおよびＰＵＳＣＨ送信のために構成され、サブフレームの間にＰＵＳＣＨ送信が可能であるとき、ＵＥはＰＵＣＣＨ  ＣＣまたはＰＵＳＣＨ  ＣＣ上でＵＣＩを送信し得る。たとえば、ＵＣＩがＳＲ、またはＡＣＫ／ＮＡＫ、またはＳＲおよびＡＣＫ／ＮＡＫ、または周期的ＣＳＩであるとき、ＵＣＩはＰＵＣＣＨ  ＣＣ上で送信され得る。別の例として、ＵＣＩが周期的ＣＳＩと、ＳＲ、ＡＣＫ／ＮＡＫ、またはＳＲとＡＣＫ／ＮＡＫとの組合せのうちの少なくとも１つとを含むとき、周期的ＣＳＩはＰＵＳＣＨ  ＣＣ上で送信され得、ＵＣＩの残りはＰＵＣＣＨ  ＣＣ上で送信され得る。周期的ＣＳＩを送信するために２つ以上のＰＵＳＣＨ  ＣＣが利用可能であるとき、非周期的ＣＳＩが送信されるようにトリガされるかどうかに基づいて、またはＣＣインデックスに基づいてＰＵＳＣＨ  ＣＣが選択され得る。
【００７６】
[0094]前述のように、ＬＴＥ／ＬＴＥ−Ａ規格は、非周期的ＣＳＩがサブフレームの間に１つのＰＵＳＣＨ  ＣＣ上で送信されるようにトリガされ得ることを規定している。ＵＥがキャリアアグリゲーションモードで動作するとき、非周期的ＣＳＩは、２ビット情報フィールドを介してダウンリンク制御情報（ＤＣＩ）においてトリガされ得る（ＤＣＩが共通探索空間（ＣＳＳ）において送信されるときは別であり、その場合には１ビット情報フィールドが定義され、「１」の設定が、ＣＳＳを搬送するＣＣに関するＣＳＩ報告をトリガする）。
【００７７】
[0095]サブフレームの間にＣｏＭＰが使用されないとき、サービングセル（ｃ）上での非周期的ＣＳＩの送信をトリガするための２ビット情報フィールドの値が、次のように定義される。
００  非周期的ＣＳＩ報告がトリガされない。
０１  サービングセルｃに関して非周期的ＣＳＩ報告がトリガされる。
１０  上位レイヤによって構成されたサービングセルの第１のセットに関して、非周期的ＣＳＩ報告がトリガされる。
１１  上位レイヤによって構成されたサービングセルの第２のセットに関して、非周期的ＣＳＩ報告がトリガされる。
【００７８】
[0096]サブフレームの間にＣｏＭＰが使用されるとき、サービングセル（ｃ）上での非周期的ＣＳＩの送信をトリガするための２ビット情報フィールドの値が、次のように定義される。
００  非周期的ＣＳＩ報告がトリガされない。
０１  サービングセルｃのために上位レイヤによって構成されたＣＳＩプロセスのセットに関して、非周期的ＣＳＩ報告がトリガされる。
１０  上位レイヤによって構成されたＣＳＩプロセスの第１のセットに関して、非周期的ＣＳＩ報告がトリガされる。
１１  上位レイヤによって構成されたＣＳＩプロセスの第２のセットに関して、非周期的ＣＳＩ報告がトリガされる。
【００７９】
[0097]動的ＴＤＤ構成がサポートされ、ＵＥのために構成された２つのＣＳＩサブフレームセットがあるとき、サービングセル（ｃ）上での非周期的ＣＳＩの送信をトリガするための２ビット情報フィールドの値が、次のように定義される。
００  非周期的ＣＳＩ報告がトリガされない。
０１  サービングセルｃのために上位レイヤによって構成されたＣＳＩプロセスのセット、および／またはＣＳＩプロセス、ＣＳＩサブフレームセットペアに関して、非周期的ＣＳＩ報告がトリガされる。
１０  上位レイヤによって構成されたＣＳＩプロセスの第１のセット、および／またはＣＳＩプロセス、ＣＳＩサブフレームセットペアに関して、非周期的ＣＳＩ報告がトリガされる。
１１  上位レイヤによって構成されたＣＳＩプロセスの第２のセット、および／またはＣＳＩプロセス、ＣＳＩサブフレームセットペアに関して、非周期的ＣＳＩ報告がトリガされる。
【００８０】
[0098]上で説明されたように、サブフレームの間の、ＬＴＥ／ＬＴＥ−Ａ通信のために使用可能な専用無線周波数スペクトル帯域におけるＵＣＩの送信のためのＵＬ  ＣＣを選択するために使用される要因は、ＵＥがサブフレームの間の並列のＰＵＣＣＨおよびＰＵＳＣＨ送信のために構成されるかどうか、サブフレームの間にＰＵＳＣＨが利用可能であるかどうか、またはサブフレームの間に送信されるＵＣＩのタイプのような要因に依存し得る。専用無線周波数スペクトル帯域における少なくとも１つのＵＬ  ＣＣと共有無線周波数スペクトル帯域における少なくとも１つのＵＬ  ＣＣとを含むＵＬ  ＣＣのセットから選択されたＵＬ  ＣＣを通じたＵＣＩの送信のためのＵＬ  ＣＣを選択するとき、サブフレームの間にＵＣＩを送信するためのＵＬ  ＣＣを選択するために、他の要因または異なる要因が使用され得る。これらの他の要因または異なる要因は、たとえば、ＵＣＩの送信を専用無線周波数スペクトル帯域におけるＵＬ  ＣＣに限定すること、または共有無線周波数スペクトル帯域におけるＵＬ  ＣＣを通じたほんのいくつかのタイプのＵＣＩの送信を許容することを含み得る。
【００８１】
[0099]図６は、本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセット６００を示す。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、ＵＬ  ＣＣのセット６００は、図１、図２、図４、または図５を参照しながら説明されたＵＥ１１５、２１５、２１５−ａ、２１５−ｂ、２１５−ｃ、４１５、または５１５のうちの１つのようなＵＥによって使用され得る。いくつかの例では、ＵＬ  ＣＣのセット６００は、図４を参照しながら説明されたようなアップリンクキャリアアグリゲーション動作のために、または図５を参照しながら説明されたようなデュアル接続動作のために（たとえば、デュアル接続動作におけるＣＣの１次グループもしくはＣＣの２次グループとして）使用され得る。
【００８２】
[0100]例として、ＵＬ  ＣＣのセット６００は、専用無線周波数スペクトル帯域における第１のＵＬ  ＣＣ６０５（ＣＣ１）と、共有無線周波数スペクトル帯域における第２のＵＬ  ＣＣ６１０（ＣＣ２）とを含み得る。さらなる例として、サブフレームの間に専用無線周波数スペクトル帯域においてＰＵＳＣＨ送信が不可能であり得る。そのような例では、ＵＬ  ＣＣのセット６００に関するＵＣＩの送信は、専用無線周波数スペクトル帯域におけるＰＵＣＣＨ  ＣＣ（たとえば、第１のＵＬ  ＣＣ６０５）に限定され得る。図６は第２のＵＬ  ＣＣ６１０上でのＰＵＳＣＨの送信を示すが、第２のＵＬ  ＣＣ６１０上でのＵＣＩの送信がなくてよい。第２のＵＬ  ＣＣ６１０に関する任意のＵＣＩが、第１のＵＬ  ＣＣ６０５上で送信され得る。このようにして、ＵＣＩの送信は、専用無線周波数スペクトル帯域に限定される。専用無線周波数スペクトル帯域におけるＰＵＣＣＨ  ＣＣ（たとえば、第１のＵＬ  ＣＣ６０５）上で送信されるＵＣＩは、利用可能であるとき、スケジューリング要求（ＳＲ）、肯定応答（ＡＣＫ）／否定応答（ＮＡＫ）、周期的チャネル状態情報（ＣＳＩ）、または非周期的ＣＳＩのうちの１つまたは複数を含み得る。
【００８３】
[0101]図７Ａは、本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセット７００を示す。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、ＵＬ  ＣＣのセット７００は、図１、図２、図４、または図５を参照しながら説明されたＵＥ１１５、２１５、２１５−ａ、２１５−ｂ、２１５−ｃ、４１５、または５１５のうちの１つのようなＵＥによって使用され得る。いくつかの例では、ＵＬ  ＣＣのセット７００は、図４を参照しながら説明されたようなアップリンクキャリアアグリゲーション動作のために、または図５を参照しながら説明されたようなデュアル接続動作のために（たとえば、デュアル接続動作におけるＣＣの１次グループもしくはＣＣの２次グループとして）使用され得る。
【００８４】
[0102]例として、ＵＬ  ＣＣのセット７００は、専用無線周波数スペクトル帯域における第１のＵＬ  ＣＣ７０５（ＣＣ１）と、専用無線周波数スペクトル帯域における第２のＵＬ  ＣＣ７１０（ＣＣ２）と、共有無線周波数スペクトル帯域における第３のＵＬ  ＣＣ７１５（ＣＣ３）と、共有無線周波数スペクトル帯域における第４のＵＬ  ＣＣ７２０（ＣＣ４）とを含み得る。さらなる例として、第１のＵＬ  ＣＣ７０５、第２のＵＬ  ＣＣ７１０、第３のＵＬ  ＣＣ７１５、および第４のＵＬ  ＣＣ７２０上で送信するＵＥは、サブフレームの間の並列のＰＵＣＣＨおよびＰＵＳＣＨ送信のために構成されないことがあり、サブフレームの間に専用無線周波数スペクトル帯域においてＰＵＳＣＨ送信が可能であり得る。そのような例では、ＵＬ  ＣＣのセット７００に関するＵＣＩの送信は、専用無線周波数スペクトル帯域におけるＰＵＳＣＨ  ＣＣ（たとえば、第２のＵＬ  ＣＣ７１０）に限定され得る。図７Ａは、第１のＵＬ  ＣＣ７０５、第３のＵＬ  ＣＣ７１５、および第４のＵＬ  ＣＣ７２０の各々でのＰＵＳＣＨの送信を示すが、第１のＵＬ  ＣＣ７０５、第３のＵＬ  ＣＣ７１５、または第４のＵＬ  ＣＣ７２０上でのＵＣＩの送信がなくてよい。第１のＵＬ  ＣＣ７０５、第３のＵＬ  ＣＣ７１５、または第４のＵＬ  ＣＣ７２０に関する任意のＵＣＩが、第２のＵＬ  ＣＣ７１０上で送信され得る。このようにして、ＵＣＩの送信は、専用無線周波数スペクトル帯域に限定される。専用無線周波数スペクトル帯域におけるＰＵＳＣＨ  ＣＣ（たとえば、第２のＵＬ  ＣＣ７１０）上で送信されるＵＣＩは、利用可能であるとき、ＳＲ、ＡＣＫ／ＮＡＫ、周期的ＣＳＩ、または非周期的ＣＳＩのうちの１つまたは複数を含み得る。
【００８５】
[0103]図７Ａでは、非周期的ＣＳＩがサブフレームの間に第１のＵＬ  ＣＣ７０５ではなく第２のＵＬ  ＣＣ７１０上で送信されるようにトリガされているとの決定に少なくとも部分的に基づいて、サブフレームの間にＵＣＩを送信するために、第１のＵＬ  ＣＣ７０５を通じて第２のＵＬ  ＣＣ７１０が選択され得る。
【００８６】
[0104]図７Ｂは、本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセット７５０を示す。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、ＵＬ  ＣＣのセット７５０は、図１、図２、図４、または図５を参照しながら説明されたＵＥ１１５、２１５、２１５−ａ、２１５−ｂ、２１５−ｃ、４１５、または５１５のうちの１つのようなＵＥによって使用され得る。いくつかの例では、ＵＬ  ＣＣのセット７５０は、図４を参照しながら説明されたようなアップリンクキャリアアグリゲーション動作のために、または図５を参照しながら説明されたようなデュアル接続動作のために（たとえば、デュアル接続動作におけるＣＣの１次グループもしくはＣＣの２次グループとして）使用され得る。
【００８７】
[0105]例として、ＵＬ  ＣＣのセット７５０は、専用無線周波数スペクトル帯域における第１のＵＬ  ＣＣ７５５（ＣＣ１）と、専用無線周波数スペクトル帯域における第２のＵＬ  ＣＣ７６０（ＣＣ２）と、共有無線周波数スペクトル帯域における第３のＵＬ  ＣＣ７６５（ＣＣ３）と、共有無線周波数スペクトル帯域における第４のＵＬ  ＣＣ７７０（ＣＣ４）とを含み得る。さらなる例として、第１のＵＬ  ＣＣ７５５、第２のＵＬ  ＣＣ７６０、第３のＵＬ  ＣＣ７６５、および第４のＵＬ  ＣＣ７７０上で送信するＵＥは、サブフレームの間の並列のＰＵＣＣＨおよびＰＵＳＣＨ送信のために構成されないことがあり、サブフレームの間に専用無線周波数スペクトル帯域においてＰＵＳＣＨ送信が可能であり得る。そのような例では、ＵＬ  ＣＣのセット７５０に関するＵＣＩの送信は、専用無線周波数スペクトル帯域におけるＰＵＳＣＨ  ＣＣ（たとえば、第１のＵＬ  ＣＣ７５５）に限定され得る。図７Ｂは、第２のＵＬ  ＣＣ７６０、第３のＵＬ  ＣＣ７６５、および第４のＵＬ  ＣＣ７７０の各々でのＰＵＳＣＨの送信を示すが、第２のＵＬ  ＣＣ７６０、第３のＵＬ  ＣＣ７６５、または第４のＵＬ  ＣＣ７７０上でのＵＣＩの送信がなくてよい。第２のＵＬ  ＣＣ７６０、第３のＵＬ  ＣＣ７６５、または第４のＵＬ  ＣＣ７７０に関する任意のＵＣＩが、第１のＵＬ  ＣＣ７５５上で送信され得る。このようにして、ＵＣＩの送信は、専用無線周波数スペクトル帯域に限定される。専用無線周波数スペクトル帯域におけるＰＵＳＣＨ  ＣＣ（たとえば、第１のＵＬ  ＣＣ７５５）上で送信されるＵＣＩは、利用可能であるとき、ＳＲ、ＡＣＫ／ＮＡＫ、または周期的ＣＳＩのうちの１つまたは複数を含み得る。
【００８８】
[0106]図７Ｂでは、非周期的ＣＳＩが第１のＵＬ  ＣＣ７５５または第２のＵＬ  ＣＣ７６０上で送信されるようにトリガされていないとの決定に少なくとも部分的に基づいて、および第１のＵＬ  ＣＣ７５５に関連する第１のＣＣインデックスに少なくとも部分的に基づいて、サブフレームの間にＵＣＩを送信するために、第２のＵＬ  ＣＣ７６０を通じて第１のＵＬ  ＣＣ７５５が選択され得る。たとえば、第１のＵＬ  ＣＣ７５５は、第１のＵＬ  ＣＣ７５５に関連する第１のＣＣインデックスが第２のＵＬ  ＣＣ７６０に関連する第２のＣＣインデックスよりも低いことに少なくとも部分的に基づいて選択され得る。
【００８９】
[0107]図８Ａは、本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセット８００を示す。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、ＵＬ  ＣＣのセット８００は、図１、図２、図４、または図５を参照しながら説明されたＵＥ１１５、２１５、２１５−ａ、２１５−ｂ、２１５−ｃ、４１５、または５１５のうちの１つのようなＵＥによって使用され得る。いくつかの例では、ＵＬ  ＣＣのセット８００は、図４を参照しながら説明されたようなアップリンクキャリアアグリゲーション動作のために、または図５を参照しながら説明されたようなデュアル接続動作のために（たとえば、デュアル接続動作におけるＣＣの１次グループもしくはＣＣの２次グループとして）使用され得る。
【００９０】
[0108]例として、ＵＬ  ＣＣのセット８００は、専用無線周波数スペクトル帯域における第１のＵＬ  ＣＣ８０５（ＣＣ１）と、共有無線周波数スペクトル帯域における第２のＵＬ  ＣＣ８１０（ＣＣ２）と、共有無線周波数スペクトル帯域における第３のＵＬ  ＣＣ８１５（ＣＣ３）とを含み得る。さらなる例として、第１のＵＬ  ＣＣ８０５、第２のＵＬ  ＣＣ８１０、および第３のＵＬ  ＣＣ８１５上で送信するＵＥは、サブフレームの間の並列のＰＵＣＣＨおよびＰＵＳＣＨ送信のために構成されること、または構成されないことがあり、サブフレームの間に専用無線周波数スペクトル帯域においてＰＵＳＣＨ送信が可能であり得る。ＵＥがサブフレームの間の並列のＰＵＣＣＨおよびＰＵＳＣＨ送信のために構成されないとき、ＵＥは依然として、サブフレームの間に専用無線周波数スペクトル帯域においてＵＣＩを送信するために、専用無線周波数スペクトル帯域においてＰＵＣＣＨを送信することと、共有無線周波数スペクトル帯域においてＰＵＳＣＨを送信することとを許容され得る。また、例として、サブフレームの間に送信されるＵＣＩは、ＳＲ、またはＡＣＫ／ＮＡＫ、またはＳＲおよびＡＣＫ／ＮＡＫ、または周期的ＣＳＩのうちの１つを含み得る。そのような例では、ＵＬ  ＣＣのセット８００に関するＵＣＩの送信は、専用無線周波数スペクトル帯域におけるＰＵＣＣＨ  ＣＣ（たとえば、第１のＵＬ  ＣＣ８０５）に限定され得る。図８Ａは、第２のＵＬ  ＣＣ８１０および第３のＵＬ  ＣＣ８１５の各々でのＰＵＳＣＨの送信を示すが、第２のＵＬ  ＣＣ８１０および第３のＵＬ  ＣＣ８１５上でのＵＣＩの送信がなくてよい。第２のＵＬ  ＣＣ８１０および第３のＵＬ  ＣＣ８１５に関する任意のＵＣＩが、専用無線周波数スペクトル帯域におけるＰＵＣＣＨ  ＣＣ（たとえば、第１のＵＬ  ＣＣ８０５）上で送信され得る。このようにして、ＵＣＩの送信は、専用無線周波数スペクトル帯域に限定される。
【００９１】
[0109]図８Ｂは、本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセット８５０を示す。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、ＵＬ  ＣＣのセット８５０は、図１、図２、図４、または図５を参照しながら説明されたＵＥ１１５、２１５、２１５−ａ、２１５−ｂ、２１５−ｃ、４１５、または５１５のうちの１つのようなＵＥによって使用され得る。いくつかの例では、ＵＬ  ＣＣのセット８５０は、図４を参照しながら説明されたようなアップリンクキャリアアグリゲーション動作のために、または図５を参照しながら説明されたようなデュアル接続動作のために（たとえば、デュアル接続動作におけるＣＣの１次グループもしくはＣＣの２次グループとして）使用され得る。
【００９２】
[0110]例として、ＵＬ  ＣＣのセット８５０は、専用無線周波数スペクトル帯域における第１のＵＬ  ＣＣ８５５（ＣＣ１）と、専用無線周波数スペクトル帯域における第２のＵＬ  ＣＣ８６０（ＣＣ２）と、共有無線周波数スペクトル帯域における第３のＵＬ  ＣＣ８６５（ＣＣ３）と、共有無線周波数スペクトル帯域における第４のＵＬ  ＣＣ８７０（ＣＣ４）とを含み得る。さらなる例として、第１のＵＬ  ＣＣ８５５、第２のＵＬ  ＣＣ８６０、第３のＵＬ  ＣＣ８６５、および第４のＵＬ  ＣＣ８７０上で送信するＵＥは、サブフレームの間の並列のＰＵＣＣＨおよびＰＵＳＣＨ送信のために構成されること、または構成されないことがあり、サブフレームの間に専用無線周波数スペクトル帯域においてＰＵＳＣＨ送信が可能であり得る。ＵＥがサブフレームの間の並列のＰＵＣＣＨおよびＰＵＳＣＨ送信のために構成されないとき、ＵＥは依然として、サブフレームの間に専用無線周波数スペクトル帯域においてＵＣＩを送信するために、専用無線周波数スペクトル帯域においてＰＵＣＣＨを送信することと、共有無線周波数スペクトル帯域においてＰＵＳＣＨを送信することとを許容され得る。また、例として、サブフレームの間に送信されるＵＣＩは、周期的ＣＳＩと、ＳＲ、ＡＣＫ／ＮＡＫ、またはＳＲとＡＣＫ／ＮＡＫとの組合せのうちの少なくとも１つとを含み得る。そのような例では、ＵＬ  ＣＣのセット８５０に関するＵＣＩの送信は、専用無線周波数スペクトル帯域におけるＰＵＣＣＨ  ＣＣ（たとえば、第１のＵＬ  ＣＣ８５５）上でのＵＣＩの第１の部分の送信、および専用無線周波数スペクトル帯域におけるＰＵＳＣＨ  ＣＣ（たとえば、第２のＵＬ  ＣＣ８６０）上でのＵＣＩの第２の部分の送信に限定され得る。いくつかの例では、ＵＣＩの第１の部分は周期的ＣＳＩを含み得、ＵＣＩの第２の部分はＳＲ、ＡＣＫ／ＮＡＫ、またはＳＲとＡＣＫ／ＮＡＫとの組合せを含み得る。図８Ｂは、第３のＵＬ  ＣＣ８６５および第４のＵＬ  ＣＣ８７０の各々でのＰＵＳＣＨの送信を示すが、第３のＵＬ  ＣＣ８６５および第４のＵＬ  ＣＣ８７０上でのＵＣＩの送信がなくてよい。第３のＵＬ  ＣＣ８６５および第４のＵＬ  ＣＣ８７０に関する任意のＵＣＩが、前に説明したように、専用無線周波数スペクトル帯域におけるＰＵＣＣＨ  ＣＣまたはＰＵＳＣＨ  ＣＣ（たとえば、第１のＵＬ  ＣＣ８０５または第２のＵＬ  ＣＣ８１０）上で送信され得る。このようにして、ＵＣＩの送信は、専用無線周波数スペクトル帯域に限定される。
【００９３】
[0111]図９は、本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセット９００を示す。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、ＵＬ  ＣＣのセット９００は、図１、図２、図４、または図５を参照しながら説明されたＵＥ１１５、２１５、２１５−ａ、２１５−ｂ、２１５−ｃ、４１５、または５１５のうちの１つのようなＵＥによって使用され得る。いくつかの例では、ＵＬ  ＣＣのセット９００は、図４を参照しながら説明されたようなアップリンクキャリアアグリゲーション動作のために、または図５を参照しながら説明されたようなデュアル接続動作のために（たとえば、デュアル接続動作におけるＣＣの１次グループもしくはＣＣの２次グループとして）使用され得る。
【００９４】
[0112]例として、ＵＬ  ＣＣのセット９００は、専用無線周波数スペクトル帯域における第１のＵＬ  ＣＣ９０５（ＣＣ１）と、共有無線周波数スペクトル帯域における第２のＵＬ  ＣＣ９１０（ＣＣ２）と、共有無線周波数スペクトル帯域における第３のＵＬ  ＣＣ９１５（ＣＣ３）とを含み得る。さらなる例として、サブフレームの間に送信されるＵＣＩは、非周期的ＣＳＩを含み得る。ＵＣＩはまた、１つまたは複数の他のタイプのＵＣＩを含み得る。そのような例では、ＵＬ  ＣＣのセット９００に関するＵＣＩの送信は、専用無線周波数スペクトル帯域におけるＰＵＣＣＨ  ＣＣまたはＰＵＳＣＨ  ＣＣ（たとえば、第１のＵＬ  ＣＣ９０５）に限定され得る。図９は第２のＵＬ  ＣＣ９１０上でのＰＵＳＣＨの送信を示すが、第２のＵＬ  ＣＣ９１０または第３のＵＬ  ＣＣ９１５上でのＵＣＩの送信がなくてよい。第２のＵＬ  ＣＣ９１０または第３のＵＬ  ＣＣ９１５に関する任意のＵＣＩ（たとえば、ＡＣＫ／ＮＡＫ、周期的ＣＳＩ、または非周期的ＣＳＩ）、ならびに第１のＵＬ  ＣＣ９０５に関するＵＣＩおよび任意のＳＲ（ある場合）は、第１のＵＬ  ＣＣ９０５上で送信され得る。このようにして、ＵＣＩの送信は、専用無線周波数スペクトル帯域に限定される。
【００９５】
[0113]いくつかの例では、第１のＵＬ  ＣＣ９０５上で送信される非周期的ＣＳＩは、ＵＬ  ＣＣのセット９００における１つのＵＬ  ＣＣに関する非周期的ＣＳＩに限定され得る。これらの例では、送信される非周期的ＣＳＩは、前に説明された２ビット情報フィールドエントリのうちの１つ（たとえば、エントリ１０またはエントリ１１）に従って、送信されるようにトリガされ、送信され得る。
【００９６】
[0114]図１０は、本開示の様々な態様による、専用無線周波数スペクトル帯域における少なくとも１つのＵＬ  ＣＣと共有無線周波数スペクトル帯域における少なくとも１つのＵＬ  ＣＣとを含むＵＬ  ＣＣの例示的なセット１０００を示す。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、ＵＬ  ＣＣのセット１０００は、図１、図２、図４、または図５を参照しながら説明されたＵＥ１１５、２１５、２１５−ａ、２１５−ｂ、２１５−ｃ、４１５、または５１５のうちの１つのようなＵＥによって使用され得る。いくつかの例では、ＵＬ  ＣＣのセット１０００は、図４を参照しながら説明されたようなアップリンクキャリアアグリゲーション動作のために、または図５を参照しながら説明されたようなデュアル接続動作のために（たとえば、デュアル接続動作におけるＣＣの１次グループもしくはＣＣの２次グループとして）使用され得る。
【００９７】
[0115]例として、ＵＬ  ＣＣのセット１０００は、専用無線周波数スペクトル帯域における第１のＵＬ  ＣＣ１００５（ＣＣ１）と、共有無線周波数スペクトル帯域における第２のＵＬ  ＣＣ１０１０（ＣＣ２）と、共有無線周波数スペクトル帯域における第３のＵＬ  ＣＣ１０１５（ＣＣ３）とを含み得る。さらなる例として、サブフレームの間に送信されるＵＣＩは、非周期的ＣＳＩを含み得る。ＵＣＩはまた、１つまたは複数の他のタイプのＵＣＩを含み得る。そのような例では、ＵＬ  ＣＣのセット１０００に関するＵＣＩの送信は、専用無線周波数スペクトル帯域におけるＰＵＣＣＨ  ＣＣまたはＰＵＳＣＨ  ＣＣ（たとえば、第１のＵＬ  ＣＣ１００５）に、また非周期的ＣＳＩがサブフレームの間に送信されるようにトリガされる共有無線周波数スペクトル帯域における各ＰＵＳＣＨ  ＣＣに限定され得る。したがって、非周期的ＣＳＩがサブフレームの間に第２のＵＬ  ＣＣ１０１０および第３のＵＬ  ＣＣ１０１５の各々関して送信されるようにトリガされると仮定すると、共有無線周波数スペクトル帯域における各ＵＬ  ＣＣ上で送信されるようにトリガされる非周期的ＣＳＩは、共有無線周波数スペクトル帯域におけるそれぞれのＵＬ  ＣＣ上で（たとえば、第２のＵＬ  ＣＣ１０１０上または第３のＵＬ  ＣＣ１０１５上で）送信され得る。第２のＵＬ  ＣＣ１０１０または第３のＵＬ  ＣＣ１０１５に関する他のＵＣＩ（たとえば、ＡＣＫ／ＮＡＫまたは周期的ＣＳＩ）（ある場合）、ならびに第１のＵＬ  ＣＣ１００５に関する任意のＵＣＩおよび任意のＳＲは、専用無線周波数スペクトル帯域における第１のＵＬ  ＣＣ１００１５上で送信され得る。このようにして、非周期的ＣＳＩを除くすべてのＵＣＩの送信が専用無線周波数スペクトル帯域に限定され、２つ以上のＵＬ  ＣＣに関する非周期的ＣＳＩのトリガリングが有効化される（それでも依然として、現在のＬＴＥ／ＬＴＥ−Ａ規格で規定されているように、専用無線周波数スペクトル帯域におけるただ１つのＵＬ  ＣＣに関して非周期的ＣＳＩが送信され得る）。図１０を参照しながら説明された内容の変形態では、共有無線周波数スペクトル帯域におけるＵＬ  ＣＣに関する周期的ＣＳＩは、同じくまたは代替的に、それが生成されたＵＬ  ＣＣ上で送信され得る。
【００９８】
[0116]図６、図７Ａ、図７Ｂ、図８Ａ、図８Ｂ、図９、および図１０を参照しながら説明された例の各々は、ＵＬ  ＣＣのセットが専用無線周波数スペクトル帯域における少なくとも１つのＵＬ  ＣＣを含む状況について説明している。ＵＬ  ＣＣのセットにおけるＵＬ  ＣＣのすべてが共有無線周波数スペクトル帯域にある状況では、各ＵＬ  ＣＣは、それ自体のＵＣＩを送信してよく、またはＵＬ  ＣＣが、専用無線周波数スペクトル帯域におけるＬＴＥ／ＬＴＥ−Ａ通信によるＵＣＩの送信のためのＵＬ  ＣＣを選択するために使用されるルールに少なくとも部分的に基づいて、ＵＬ  ＣＣのセットの中から選択され得る。
【００９９】
[0117]ＵＣＩの送信を専用無線周波数スペクトル帯域におけるＵＬ  ＣＣに限定し、共有無線周波数スペクトル帯域におけるＵＬ  ＣＣを通じたほんのいくつかのタイプのＵＣＩの送信を許容するための様々な例について説明してきたが、そのような限定に従ってそのような送信を実行するための装置が、図１１〜図１３を参照しながら説明される。
【０１００】
[0118]図１１は、本開示の様々な態様による、ワイヤレス通信において使用するための装置１１１５のブロック図１１００を示す。装置１１１５は、図１、図２、図４、または図５を参照しながら説明されたＵＥ１１５、２１５、２１５−ａ、２１５−ｂ、２１５−ｃ、４１５、または５１５のうちの１つまたは複数の態様の例であり得る。装置１１１５はまた、プロセッサであるか、またはプロセッサを含み得る。装置１１１５は、受信機１１１０、ワイヤレス通信管理構成要素１１２０、または送信機１１３０を含み得る。これらの構成要素の各々は、互いに通信していることがある。
【０１０１】
[0119]装置１１１５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１０２】
[0120]いくつかの例では、受信機１１１０は、第１の無線周波数スペクトル帯域（たとえば、無線周波数スペクトル帯域は、ＬＴＥ／ＬＴＥ−Ａ通信のために使用可能な免許無線周波数スペクトル帯域のような、様々な用途のために１人もしくは複数のユーザに免許されているので送信装置がアクセスを争わなくてよい専用無線周波数スペクトル帯域）または第２の無線周波数スペクトル帯域（たとえば、送信装置がアクセスを争い得る共有無線周波数スペクトル帯域（たとえば、Ｗｉ−Ｆｉ用途のような免許不要の用途に利用可能である無線周波数スペクトル帯域、もしくは同等共有もしくは優先度付けの方法で複数の事業者による使用が可能である無線周波数スペクトル帯域））を通じた送信を受信するように動作可能な少なくとも１つの無線周波数（ＲＦ）受信機のような、少なくとも１つのＲＦ受信機を含み得る。いくつかの例では、第１の無線周波数スペクトル帯域または第２の無線周波数スペクトル帯域は、たとえば、図１、図２、図３、または図４を参照しながら説明されたように、ＬＴＥ／ＬＴＥ−Ａ通信のために使用され得る。受信機１１１０は、図１、図２、図３、または図４を参照しながら説明されたワイヤレス通信システム１００、２００、３００、または４００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、第１の無線周波数スペクトル帯域または第２の無線周波数スペクトル帯域を介して確立され得る。
【０１０３】
[0121]いくつかの例では、送信機１１３０は、第１の無線周波数スペクトル帯域または第２の無線周波数スペクトル帯域を通じて送信するように動作可能な少なくとも１つのＲＦ送信機のような、少なくとも１つのＲＦ送信機を含み得る。送信機１１３０は、図１、図２、図３、または図４を参照しながら説明されたワイヤレス通信システム１００、２００、３００、または４００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、第１の無線周波数スペクトル帯域または第２の無線周波数スペクトル帯域を介して確立され得る。
【０１０４】
[0122]いくつかの例では、ワイヤレス通信管理構成要素１１２０は、装置１１１５のためのワイヤレス通信の１つまたは複数の態様を管理するために使用され得る。いくつかの例では、ワイヤレス通信管理構成要素１１２０は、ＵＬ  ＣＣ決定構成要素１１３５、ＵＣＩ識別構成要素１１４０、またはＵＣＩ−ＵＬ  ＣＣマッピング構成要素１１４５を含み得る。
【０１０５】
[0123]いくつかの例では、ＵＬ  ＣＣ決定構成要素１１３５は、装置１１１５に使用するＵＬ  ＣＣのセットを決定するために使用され得る。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。いくつかの例では、ＵＬ  ＣＣ決定構成要素１１３５は、アップリンクキャリアアグリゲーション動作のためのＵＬ  ＣＣのセットを決定し得る。いくつかの例では、ＵＬ  ＣＣ決定構成要素１１３５は、デュアル接続動作におけるＣＣの１次グループまたはＣＣの２次グループとして使用する、デュアル接続動作のためのＵＬ  ＣＣのセットを決定し得る。
【０１０６】
[0124]いくつかの例では、ＵＣＩ識別構成要素１１４０は、サブフレームにおいて、送信予定のＵＣＩを識別するために使用され得る。ＵＣＩは、１つまたは複数のＣＣに関連付けられ得る。いくつかの例では、ＵＣＩは、少なくとも１つのタイプの周期的ＵＣＩを含み得る。いくつかの例では、ＵＣＩは、すべてのタイプの周期的ＵＣＩを含み得る。いくつかの例では、ＵＣＩは、ＳＲ、ＡＣＫ／ＮＡＫ、または周期的ＣＳＩを含み得る。いくつかの例では、ＵＣＩは、非周期的ＣＳＩを含み得る。いくつかの例では、ＵＣＩは、すべてのタイプのＵＣＩを含み得る。
【０１０７】
[0125]いくつかの例では、ＵＣＩ−ＵＬ  ＣＣマッピング構成要素１１４５は、ＵＣＩの送信に利用可能なＵＬ  ＣＣを、第１の無線周波数スペクトル帯域における少なくとも１つのＵＬ  ＣＣに限定するために使用され得る。
【０１０８】
[0126]装置１１１５に使用するＵＬ  ＣＣのセットが第１の無線周波数スペクトル帯域における２つ以上のＵＬ  ＣＣを含むとき、またいくつかの例では、ＵＣＩを送信するために使用されるＵＬ  ＣＣがＵＣＩ−ＵＬ  ＣＣマッピング構成要素１１４５によって、専用無線周波数スペクトル帯域におけるＬＴＥ／ＬＴＥ−Ａ通信によるＵＣＩの送信のためのＵＬ  ＣＣを選択するために使用されるルールに少なくとも部分的に基づいて、第１の無線周波数スペクトル帯域における２つ以上のＵＬ  ＣＣの中から選択され得る。
【０１０９】
[0127]図１２は、本開示の様々な態様による、ワイヤレス通信において使用するための装置１２１５のブロック図１２００を示す。装置１２１５は、図１、図２、図４、もしくは図５を参照しながら説明されたＵＥ１１５、２１５、２１５−ａ、２１５−ｂ、２１５−ｃ、４１５、もしくは５１５のうちの１つもしくは複数の態様、または図１１を参照しながら説明された装置１１１５の態様の例であり得る。装置１２１５はまた、プロセッサであるか、またはプロセッサを含み得る。装置１２１５は、受信機１２１０、ワイヤレス通信管理構成要素１２２０、または送信機１２３０を含み得る。これらの構成要素の各々は、互いに通信していることがある。
【０１１０】
[0128]装置１２１５の構成要素は、適用可能な機能の一部または全部をハードウェアで実行するように適応された１つまたは複数のＡＳＩＣを使用して、個々にまたはまとめて実装され得る。代替的に、機能は、１つまたは複数の集積回路上で、１つまたは複数の他の処理ユニット（またはコア）によって実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１１１】
[0129]いくつかの例では、受信機１２１０は、第１の無線周波数スペクトル帯域（たとえば、無線周波数スペクトル帯域は、ＬＴＥ／ＬＴＥ−Ａ通信のために使用可能な免許無線周波数スペクトル帯域のような、様々な用途のために１人もしくは複数のユーザに免許されているので送信装置がアクセスを争わなくてよい専用無線周波数スペクトル帯域）または第２の無線周波数スペクトル帯域（たとえば、送信装置がアクセスを争い得る共有無線周波数スペクトル帯域（たとえば、Ｗｉ−Ｆｉ用途のような免許不要の用途に利用可能である無線周波数スペクトル帯域、もしくは同等共有もしくは優先度付けの方法で複数の事業者による使用が可能である無線周波数スペクトル帯域））を通じた送信を受信するように動作可能な少なくとも１つのＲＦ受信機のような、少なくとも１つのＲＦ受信機を含み得る。
【０１１２】
[0130]いくつかの例では、第１の無線周波数スペクトル帯域または第２の無線周波数スペクトル帯域は、たとえば、図１、図２、図３、または図４を参照しながら説明されたように、ＬＴＥ／ＬＴＥ−Ａ通信のために使用され得る。受信機１２１０は、場合によっては、第１の無線周波数スペクトル帯域および第２の無線周波数スペクトル帯域のための別個の受信機を含み得る。別個の受信機は、いくつかの例では、第１の無線周波数スペクトル帯域を通じて通信するためのＬＴＥ／ＬＴＥ−Ａ受信機（たとえば、第１のＲＦスペクトル帯域のためのＬＴＥ／ＬＴＥ−Ａ受信機１２１２）および第２の無線周波数スペクトル帯域を通じて通信するためのＬＴＥ／ＬＴＥ−Ａ受信機（たとえば、第２のＲＦスペクトル帯域のためのＬＴＥ／ＬＴＥ−Ａ受信機１２１４）の形態をとり得る。第１のＲＦスペクトル帯域のためのＬＴＥ／ＬＴＥ−Ａ受信機１２１２または第２のＲＦスペクトル帯域のためのＬＴＥ／ＬＴＥ−Ａ受信機１２１４を含む受信機１２１０は、図１、図２、図３、または図４を参照しながら説明されたワイヤレス通信システム１００、２００、３００、または４００の１つまたは複数の通信リンクのような、ワイヤレス通信システムの１つまたは複数の通信リンクを通じて様々なタイプのデータまたは制御信号（すなわち、送信）を受信するために使用され得る。通信リンクは、第１の無線周波数スペクトル帯域または第２の無線周波数スペクトル帯域を介して確立され得る。
【０１１３】
[0131]いくつかの例では、送信機１２３０は、第１の無線周波数スペクトル帯域または第２の無線周波数スペクトル帯域を通じて送信するように動作可能な少なくとも１つのＲＦ送信機のような、少なくとも１つのＲＦ送信機を含み得る。送信機１２３０は、場合によっては、第１の無線周波数スペクトル帯域および第２の無線周波数スペクトル帯域のための別個の送信機を含み得る。別個の送信機は、いくつかの例では、第１の無線周波数スペクトル帯域を通じて通信するためのＬＴＥ／ＬＴＥ−Ａ送信機（たとえば、第１のＲＦスペクトル帯域のためのＬＴＥ／ＬＴＥ−Ａ送信機１２３２）および第２の無線周波数スペクトル帯域を通じて通信するためのＬＴＥ／ＬＴＥ−Ａ送信機（たとえば、第２のＲＦスペクトル帯域のためのＬＴＥ／ＬＴＥ−Ａ送信機１２３４）の形態をとり得る。第１のＲＦスペクトル帯域のためのＬＴＥ／ＬＴＥ−Ａ送信機１２３２または第２のＲＦスペクトル帯域のためのＬＴＥ／ＬＴＥ−Ａ送信機１２３４を含む送信機１２３０は、図１、図２、図３、または図４を参照しながら説明されたワイヤレス通信システム１００、２００、３００、または４００の１つまたは複数の通信リンクのような、ワイヤレス通信システムの１つまたは複数の通信リンクを通じて様々なタイプのデータまたは制御信号（すなわち、送信）を送信するために使用され得る。通信リンクは、第１の無線周波数スペクトル帯域または第２の無線周波数スペクトル帯域を介して確立され得る。
【０１１４】
[0132]いくつかの例では、ワイヤレス通信管理構成要素１２２０は、装置１２１５のためのワイヤレス通信の１つまたは複数の態様を管理するために使用され得る。いくつかの例では、ワイヤレス通信管理構成要素１２２０は、ＵＬ  ＣＣ決定構成要素１２３５、ＵＣＩ識別構成要素１２４０、ＵＣＩ−ＵＬ  ＣＣマッピング構成要素１２４５、またはＣＣＡ構成要素１２８５を含み得る。
【０１１５】
[0133]いくつかの例では、ＵＬ  ＣＣ決定構成要素１２３５は、装置１２１５に使用するＵＬ  ＣＣのセットを決定するために使用され得る。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。いくつかの例では、ＵＬ  ＣＣ決定構成要素１２３５は、アップリンクキャリアアグリゲーション動作のためのＵＬ  ＣＣのセットを決定し得る。いくつかの例では、ＵＬ  ＣＣ決定構成要素１２３５は、デュアル接続動作におけるＣＣの１次グループまたはＣＣの２次グループとして使用する、デュアル接続動作のためのＵＬ  ＣＣのセットを決定し得る。
【０１１６】
[0134]いくつかの例では、ＵＣＩ識別構成要素１２４０は、サブフレームにおいて、送信予定のＵＣＩを識別するために使用され得る。ＵＣＩは、１つまたは複数のＣＣに関連付けられ得る。いくつかの例では、ＵＣＩは、少なくとも１つのタイプの周期的ＵＣＩを含み得る。いくつかの例では、ＵＣＩは、すべてのタイプの周期的ＵＣＩを含み得る。いくつかの例では、ＵＣＩは、ＳＲ、ＡＣＫ／ＮＡＫ、または周期的ＣＳＩを含み得る。いくつかの例では、ＵＣＩは、非周期的ＣＳＩを含み得る。いくつかの例では、ＵＣＩは、すべてのタイプのＵＣＩを含み得る。
【０１１７】
[0135]いくつかの例では、ＵＣＩ−ＵＬ  ＣＣマッピング構成要素１２４５は、ＵＣＩの送信に利用可能なＵＬ  ＣＣを、第１の無線周波数スペクトル帯域における少なくとも１つのＵＬ  ＣＣに限定するために使用され得る。いくつかの例では、ＵＣＩ−ＵＬ  ＣＣマッピング構成要素１２４５は、ＰＵＣＣＨ／ＰＵＳＣＨ利用可能性決定構成要素１２５０、ＰＵＣＣＨ選択構成要素１２５５、ＰＵＳＣＨ選択構成要素１２６０、ＵＣＩタイプベースマッピング構成要素１２７５、または非周期的ＣＳＩマッピング構成要素１２８０を含み得る。
【０１１８】
[0136]いくつかの例では、ＰＵＣＣＨ／ＰＵＳＣＨ利用可能性決定構成要素１２５０は、装置１２１５がサブフレームの間の並列のＰＵＣＣＨおよびＰＵＳＣＨ送信のために構成されるかどうかを決定するために使用され得る。ＰＵＣＣＨ／ＰＵＳＣＨ利用可能性決定構成要素１２５０はまた、サブフレームの間に第１の無線周波数スペクトル帯域においてＰＵＳＣＨ送信が可能であるかどうかを決定する（たとえば、装置１２１５が第１の無線周波数スペクトル帯域におけるＵＬ  ＣＣ上でＰＵＳＣＨを送信するためのアップリンク許可を受信したかどうかを決定する）ために使用され得る。
【０１１９】
[0137]いくつかの例では、ＰＵＣＣＨ選択構成要素１２５５は、装置１２１５がサブフレームの間の並列のＰＵＣＣＨおよびＰＵＳＣＨ送信のために構成されるかどうかに関係なく、サブフレームの間に第１の無線周波数スペクトル帯域においてＰＵＳＣＨ送信が不可能であるとＰＵＣＣＨ／ＰＵＳＣＨ利用可能性決定構成要素１２５０が決定したときに、サブフレームの間のＵＣＩの送信に利用可能なＵＬ  ＣＣを第１の無線周波数スペクトル帯域における少なくとも１つのＰＵＣＣＨ  ＣＣに限定するために使用され得る。
【０１２０】
[0138]いくつかの例では、ＰＵＳＣＨ選択構成要素１２６０は、装置１２１５がサブフレームの間の並列のＰＵＣＣＨおよびＰＵＳＣＨ送信のために構成され、第１の無線周波数スペクトル帯域においてＰＵＳＣＨ送信が可能であるとＰＵＣＣＨ／ＰＵＳＣＨ利用可能性決定構成要素１２５０が決定したときに、ＵＣＩの送信に利用可能なＵＬ  ＣＣを第１の無線周波数スペクトル帯域における第１のＰＵＳＣＨ  ＣＣに限定するために使用され得る。いくつかの例では、ＰＵＳＣＨ選択構成要素１２６０は、非周期的ＣＳＩベース選択構成要素１２６５またはＣＣインデックスベース選択構成要素１２７０を含み得る。非周期的ＣＳＩベース選択構成要素１２６５は、非周期的ＣＳＩがサブフレームの間にＰＵＳＣＨ  ＣＣ上で送信されるようにトリガされているかどうかを決定し、非周期的ＣＳＩがサブフレームの間にＰＵＳＣＨ  ＣＣ上でトリガされていると決定されたときに、非周期的ＣＳＩがサブフレームの間に第１のＰＵＳＣＨ  ＣＣ上で送信されるようにトリガされることに少なくとも部分的に基づいて、第１のＰＵＳＣＨ  ＣＣを選択するために使用され得る。ＣＣインデックスベース選択構成要素１２７０は、たとえば、非周期的ＣＳＩがサブフレームの間にＰＵＳＣＨ  ＣＣ上でトリガされていないと決定されたときに使用され得る。ＣＣインデックスベース選択構成要素１２７０は、第１のＰＵＳＣＨ  ＣＣに関連する第１のＣＣインデックスに少なくとも部分的に基づいて、第１のＰＵＳＣＨ  ＣＣを選択するために使用され得る。
【０１２１】
[0139]いくつかの例では、ＰＵＳＣＨ選択構成要素１２６０および／またはＵＣＩタイプベースマッピング構成要素１２７５は、装置１２１５がサブフレームの間の並列のＰＵＣＣＨおよびＰＵＳＣＨ送信のために構成され、第１の無線周波数スペクトル帯域においてＰＵＳＣＨ送信が可能であるとＰＵＣＣＨ／ＰＵＳＣＨ利用可能性決定構成要素１２５０が決定したときに、ＵＣＩの送信に利用可能なＵＬ  ＣＣを１つまたは複数のＰＵＳＣＨに限定するために使用され得る。たとえば、ＵＣＩタイプベースマッピング構成要素１２７５は、サブフレームの間に送信されるＵＣＩが第１のタイプの情報を含むと決定し、第１のタイプの情報に少なくとも部分的に基づいて、ＵＣＩの送信に利用可能なＵＬ  ＣＣを第１の無線周波数スペクトル帯域におけるＰＵＣＣＨ  ＣＣに限定し得る。いくつかの例では、第１のタイプの情報は、ＳＲ、またはＡＣＫ／ＮＡＫ、またはＳＲおよびＡＣＫ／ＮＡＫ、または周期的ＣＳＩを含み得る。別の例では、ＵＣＩタイプベースマッピング構成要素１２７５は、サブフレームの間に送信されるＵＣＩが第２のタイプの情報を含むと決定し、利用可能なＵＬ  ＣＣを、第２のタイプの情報の第１の部分を送信するために第１の無線周波数スペクトル帯域におけるＰＵＳＣＨ  ＣＣに、および第２のタイプの情報の第２の部分を送信するために第１の無線周波数スペクトル帯域におけるＰＵＣＣＨ  ＣＣに限定し得る。いくつかの例では、第２のタイプの情報は、周期的ＣＳＩと、ＳＲ、ＡＣＫ／ＮＡＫ、またはＳＲとＡＣＫ／ＮＡＫとの組合せのうちの少なくとも１つとを含み得る。いくつかの例では、第２のタイプの情報の第１の部分は周期的ＣＳＩを含み得、第２のタイプの情報の第２の部分はＳＲ、ＡＣＫ／ＮＡＫ、またはＳＲとＡＣＫ／ＮＡＫとの組合せを含み得る。第２のタイプの情報の第１の部分を送信するために２つ以上のＰＵＳＣＨ  ＣＣが利用可能であるとき、ＰＵＳＣＨ選択構成要素１２６０、非周期的ＣＳＩベース選択構成要素１２６５、またはＣＣインデックスベース選択構成要素１２７０を使用してＰＵＳＣＨ  ＣＣが選択され得る。
【０１２２】
[0140]いくつかの例では、また非周期的ＣＳＩがサブフレームの間に送信されるようにトリガされるとき、非周期的ＣＳＩマッピング構成要素１２８０は、ＵＣＩの送信に利用可能なＵＬ  ＣＣを第１の無線周波数スペクトル帯域におけるＵＬ  ＣＣに、および／または非周期的ＣＳＩがサブフレームの間に送信されるようにトリガされる第２の無線周波数スペクトル帯域における１つもしくは複数のＵＬ  ＣＣに限定するために使用され得る。第２の無線周波数スペクトル帯域におけるＵＬ  ＣＣに関する非周期的ＣＳＩが、非周期的ＣＳＩが送信されるようにトリガされるＵＬ  ＣＣ上で送信され得る一方、第１の無線周波数スペクトル帯域におけるＵＬ  ＣＣに関する任意の非周期的ＣＳＩ、または任意の他のＵＣＩが、第１の無線周波数スペクトル帯域におけるＵＬ  ＣＣ上で送信され得る。いくつかの例では、他のＵＣＩは、ＳＲ、ＡＣＫ／ＮＡＫ、または周期的ＣＳＩのようなＵＣＩを含み得る。
【０１２３】
[0141]いくつかの例では、ＣＣＡ構成要素１２８５は、第２の無線周波数スペクトル帯域へのアクセスを争うために使用され得る。いくつかの例では、ＣＣＡ構成要素１２８５は、たとえば図３を参照しながら説明されたように、ＵＣＣＡを実行することによって第２の無線周波数スペクトル帯域へのアクセスを争い得る。いくつかのＵＬ  ＣＣの各々に関してＵＣＣＡが実行され得る。第２の無線周波数スペクトル帯域におけるＵＬ  ＣＣに関して、第２の無線周波数スペクトル帯域へのアクセスの争いに勝つと、ＣＣＡ構成要素１２８５は、ワイヤレス通信管理構成要素１２２０が第２の無線周波数スペクトル帯域におけるＵＬ  ＣＣ上でＣＵＢＳを送信し、その後、第２の無線周波数スペクトル帯域におけるＵＬ  ＣＣ上でデータまたは制御信号を送信することを可能にし得る。
【０１２４】
[0142]いくつかの例では、図１１および図１２を参照しながら説明された装置１１１５および１２１５の態様は、組み合わされる場合がある。
【０１２５】
[0143]図１３は、本開示の様々な態様による、ワイヤレス通信において使用するためのＵＥ１３１５のブロック図１３００を示す。ＵＥ１３１５は、様々な構成を有し得、含まれ得るか、または、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどの一部であり得る。ＵＥ１３１５は、いくつかの例では、モバイル動作を容易にするために、小型バッテリーのような内部電源（図示されず）を有し得る。いくつかの例では、ＵＥ１３１５は、図１、図２、図４、もしくは図５を参照しながら説明されたＵＥ１１５、２１５、２１５−ａ、２１５−ｂ、２１５−ｃ、４１５、もしくは５１５のうちの１つもしくは複数の態様、または図１１もしくは図１２を参照しながら説明された装置１１１５もしくは１２１５のうちの１つもしくは複数の態様の例であり得る。ＵＥ１３１５は、図１、図２、図３、図４、図５、図６、図７Ａ、図７Ｂ、図８Ａ、図８Ｂ、図９、図１０、図１１、または図１２を参照しながら説明されたＵＥまたは装置の特徴および機能のうちの少なくともいくつかを実装するように構成され得る。
【０１２６】
[0144]ＵＥ１３１５は、ＵＥプロセッサ１３１０、ＵＥメモリ構成要素１３２０、（ＵＥトランシーバ１３３０によって表される）少なくとも１つのＵＥトランシーバ、（ＵＥアンテナ１３４０によって表される）少なくとも１つのＵＥアンテナ、またはＵＥワイヤレス通信管理構成要素１３６０を含み得る。これらの構成要素の各々は、１つまたは複数のバス１３３５を通じて、直接または間接的に互いに通信していることがある。
【０１２７】
[0145]ＵＥメモリ構成要素１３２０は、ランダムアクセスメモリ（ＲＡＭ）または読取り専用メモリ（ＲＯＭ）を含み得る。ＵＥメモリ構成要素１３２０は、実行されると、ＵＣＩの送信に利用可能なＵＬ  ＣＣを限定することを含む、ワイヤレス通信に関係する本明細書で説明される様々な機能をＵＥプロセッサ１３１０に実行させるように構成された命令を含んでいるコンピュータ可読、コンピュータ実行可能コード１３２５を記憶し得る。代替的に、コード１３２５は、ＵＥプロセッサ１３１０によって直接的に実行可能ではないことがあるが、（たとえば、コンパイルされ実行されると）本明細書で説明される様々な機能をＵＥ１３１５に実行させるように構成され得る。
【０１２８】
[0146]ＵＥプロセッサ１３１０は、インテリジェントなハードウェアデバイス（たとえば、中央処理装置（ＣＰＵ）、マイクロコントローラ、ＡＳＩＣなど）を含み得る。ＵＥプロセッサ１３１０は、ＵＥトランシーバ１３３０を通じて受信された情報、またはＵＥアンテナ１３４０を通じや送信のためにＵＥトランシーバ１３３０に送られるべき情報を処理し得る。ＵＥプロセッサ１３１０は、単独でまたはＵＥワイヤレス通信管理構成要素１３６０とともに、第１の無線周波数スペクトル帯域（たとえば、免許無線周波数スペクトル帯域は、ＬＴＥ／ＬＴＥ−Ａ通信のために使用可能な免許無線周波数スペクトル帯域のような、様々な用途のために１人もしくは複数のユーザに免許されているので装置がアクセスを争わない専用周波数スペクトル帯域）または第２の無線周波数スペクトル帯域（たとえば、装置がアクセスを争い得る共有無線周波数スペクトル帯域（たとえば、Ｗｉ−Ｆｉ用途のような免許不要の用途に利用可能である無線周波数スペクトル帯域、もしくは同等共有もしくは優先度付けの方法で複数の事業者による使用が可能である無線周波数スペクトル帯域））を通じて通信すること（あるいはその帯域を通じた通信を管理すること）の様々な態様を扱い得る。
【０１２９】
[0147]ＵＥトランシーバ１３３０は、パケットを変調し、被変調パケットを送信のためにＵＥアンテナ１３４０に与え、ＵＥアンテナ１３４０から受信されたパケットを復調するように構成されたモデムを含み得る。ＵＥトランシーバ１３３０は、いくつかの例では、１つまたは複数のＵＥ送信機および１つまたは複数の別個のＵＥ受信機として実装され得る。ＵＥトランシーバ１３３０は、第１の無線周波数スペクトル帯域または第２の無線周波数スペクトル帯域における通信をサポートし得る。ＵＥトランシーバ１３３０は、図１、図２、図４、または図５を参照しながら説明された基地局１０５、２０５、２０５−ａ、４０５、５０５、または５０５−ａのうちの１つまたは複数と、ＵＥアンテナ１３４０を介して双方向に通信するように構成され得る。ＵＥ１３１５は単一のＵＥアンテナを含み得るが、ＵＥ１３１５が複数のＵＥアンテナ１３４０を含み得る例があり得る。
【０１３０】
[0148]ＵＥ状態構成要素１３５０は、たとえば、ＲＲＣアイドル状態とＲＲＣ接続状態との間のＵＥ１３１５の遷移を管理するために使用されてよく、１つまたは複数のバス１３３５を通じて、直接または間接的に、ＵＥ１３１５の他の構成要素と通信していることがある。ＵＥ状態構成要素１３５０もしくはそれの部分は、プロセッサを含み得、またはＵＥ状態構成要素１３５０の機能の一部もしくは全部は、ＵＥプロセッサ１３１０によって、もしくはＵＥプロセッサ１３１０とともに実行され得る。
【０１３１】
[0149]ＵＥワイヤレス通信管理構成要素１３６０は、専用無線周波数スペクトル帯域または共有無線周波数スペクトル帯域を通じたワイヤレス通信に関係する図１、図２、図３、図４、図５、図６、図７Ａ、図７Ｂ、図８Ａ、図８Ｂ、図９、図１０、図１１、または図１２を参照しながら説明されたＵＥまたは装置の特徴または機能の一部または全部を実行または制御するように構成され得る。たとえば、ＵＥワイヤレス通信管理構成要素１３６０は、専用無線周波数スペクトル帯域または共有無線周波数スペクトル帯域を使用して、補助ダウンリンクモード、キャリアアグリゲーションモード、スタンドアロンモード、またはデュアル接続モードをサポートするように構成され得る。ＵＥワイヤレス通信管理構成要素１３６０は、第１の無線周波数スペクトル帯域におけるＬＴＥ／ＬＴＥ−Ａ通信を扱うように構成された第１のＲＦスペクトル帯域のためのＵＥ  ＬＴＥ／ＬＴＥ−Ａ構成要素１３６５と、第２の無線周波数スペクトル帯域におけるＬＴＥ／ＬＴＥ−Ａ通信を扱うように構成された第２のＲＦスペクトル帯域のためのＵＥ  ＬＴＥ／ＬＴＥ−Ａ構成要素１３７０とを含み得る。ＵＥワイヤレス通信管理構成要素１３６０もしくはそれの部分は、プロセッサを含み得、またはＵＥワイヤレス通信管理構成要素１３６０の機能の一部もしくは全部は、ＵＥプロセッサ１３１０によって、もしくはＵＥプロセッサ１３１０とともに実行され得る。いくつかの例では、ＵＥワイヤレス通信管理構成要素１３６０は、図１１または図１２を参照しながら説明されたワイヤレス通信管理構成要素１１２０または１２２０の例であり得る。
【０１３２】
[0150]図１４は、本開示の様々な態様による、ワイヤレス通信のための方法１４００の例を示すフローチャートである。明快のために、方法１４００は、図１、図２、図４、図５、もしくは図１３を参照しながら説明されたＵＥ１１５、２１５、２１５−ａ、２１５−ｂ、２１５−ｃ、４１５、５１５、もしくは１３１５のうちの１つもしくは複数の態様、または図１１もしくは図１２を参照しながら説明された装置１１１５もしくは１２１５のうちの１つもしくは複数の態様を参照しながら以下で説明される。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を実行し得る。
【０１３３】
[0151]ブロック１４０５において、方法１４００は、ＵＥに使用するＵＬ  ＣＣのセットを決定することを含み得る。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。いくつかの例では、第１の無線周波数スペクトル帯域は専用無線周波数スペクトル帯域であってよく、第２の無線周波数スペクトル帯域は共有無線周波数スペクトル帯域であってよい。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、決定することは、アップリンクキャリアアグリゲーション動作のためのＵＬ  ＣＣのセットを決定することを含み得る。いくつかの例では、決定することは、デュアル接続動作におけるＣＣの１次グループまたはＣＣの２次グループとして使用する、デュアル接続動作のためのＵＬ  ＣＣのセットを決定することを含み得る。ブロック１４０５における動作は、図１１、図１２、もしくは図１３を参照しながら説明されたワイヤレス通信管理構成要素１１２０、１２２０、もしくは１３６０、または図１１もしくは図１２を参照しながら説明されたＵＬ  ＣＣ決定構成要素１１３５もしくは１２３５を使用して実行され得る。
【０１３４】
[0152]ブロック１４１０において、方法１４００は、サブフレームにおいて、送信予定のＵＣＩを識別することを含み得る。ＵＣＩは、１つまたは複数のＣＣに関連付けられ得る。いくつかの例では、ＵＣＩは、少なくとも１つのタイプの周期的ＵＣＩを含み得る。いくつかの例では、ＵＣＩは、すべてのタイプの周期的ＵＣＩを含み得る。いくつかの例では、ＵＣＩは、ＳＲ、ＡＣＫ／ＮＡＫ、または周期的ＣＳＩを含み得る。いくつかの例では、ＵＣＩは、非周期的ＣＳＩを含み得る。いくつかの例では、ＵＣＩは、すべてのタイプのＵＣＩを含み得る。ブロック１４１０における動作は、図１１、図１２、もしくは図１３を参照しながら説明されたワイヤレス通信管理構成要素１１２０、１２２０、もしくは１３６０、または図１１もしくは図１２を参照しながら説明されたＵＣＩ識別構成要素１１４０もしくは１２４０を使用して実行され得る。
【０１３５】
[0153]ブロック１４１５において、方法１４００は、ＵＣＩの送信に利用可能なＵＬ  ＣＣを、第１の無線周波数スペクトル帯域における少なくとも１つのＵＬ  ＣＣに限定することを含み得る。ブロック１４１５における動作は、図１１、図１２、もしくは図１３を参照しながら説明されたワイヤレス通信管理構成要素１１２０、１２２０、もしくは１３６０、または図１１もしくは図１２を参照しながら説明されたＵＣＩ−ＵＬ  ＣＣマッピング構成要素１１４５もしくは１２４５を使用して実行され得る。
【０１３６】
[0154]ＵＥに使用するＵＬ  ＣＣのセットが第１の無線周波数スペクトル帯域における２つ以上のＵＬ  ＣＣを含むとき、またいくつかの例では、ＵＣＩを送信するために使用されるＵＬ  ＣＣが、専用無線周波数スペクトル帯域におけるＬＴＥ／ＬＴＥ−Ａ通信によるＵＣＩの送信のためのＵＬ  ＣＣを選択するために使用されるルールに少なくとも部分的に基づいて、第１の無線周波数スペクトル帯域における２つ以上のＵＬ  ＣＣの中から選択され得る。
【０１３７】
[0155]このようにして、方法１４００はワイヤレス通信を提供し得る。方法１４００は一実装形態にすぎず、方法１４００の動作は、他の実装形態が可能であるように再構成されるか、または別の方法で修正され得ることに留意されたい。
【０１３８】
[0156]図１５は、本開示の様々な態様による、ワイヤレス通信のための方法１５００の例を示すフローチャートである。明快のために、方法１５００は、図１、図２、図４、図５、もしくは図１３を参照しながら説明されたＵＥ１１５、２１５、２１５−ａ、２１５−ｂ、２１５−ｃ、４１５、５１５、もしくは１３１５のうちの１つもしくは複数の態様、または図１１もしくは図１２を参照しながら説明された装置１１１５もしくは１２１５のうちの１つもしくは複数の態様を参照しながら以下で説明される。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を実行し得る。
【０１３９】
[0157]ブロック１５０５において、方法１５００は、ＵＥに使用するＵＬ  ＣＣのセットを決定することを含み得る。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。いくつかの例では、第１の無線周波数スペクトル帯域は専用無線周波数スペクトル帯域であってよく、第２の無線周波数スペクトル帯域は共有無線周波数スペクトル帯域であってよい。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、決定することは、アップリンクキャリアアグリゲーション動作のためのＵＬ  ＣＣのセットを決定することを含み得る。いくつかの例では、決定することは、デュアル接続動作におけるＣＣの１次グループまたはＣＣの２次グループとして使用する、デュアル接続動作のためのＵＬ  ＣＣのセットを決定することを含み得る。ブロック１５０５における動作は、図１１、図１２、もしくは図１３を参照しながら説明されたワイヤレス通信管理構成要素１１２０、１２２０、もしくは１３６０、または図１１もしくは図１２を参照しながら説明されたＵＬ  ＣＣ決定構成要素１１３５もしくは１２３５を使用して実行され得る。
【０１４０】
[0158]ブロック１５１０において、方法１５００は、サブフレームにおいて、送信予定のＵＣＩを識別することを含み得る。ＵＣＩは、１つまたは複数のＣＣに関連付けられ得る。いくつかの例では、ＵＣＩは、少なくとも１つのタイプの周期的ＵＣＩを含み得る。いくつかの例では、ＵＣＩは、すべてのタイプの周期的ＵＣＩを含み得る。いくつかの例では、ＵＣＩは、ＳＲ、ＡＣＫ／ＮＡＫ、または周期的ＣＳＩを含み得る。いくつかの例では、ＵＣＩは、非周期的ＣＳＩを含み得る。いくつかの例では、ＵＣＩは、すべてのタイプのＵＣＩを含み得る。ブロック１５１０における動作は、図１１、図１２、もしくは図１３を参照しながら説明されたワイヤレス通信管理構成要素１１２０、１２２０、もしくは１３６０、または図１１もしくは図１２を参照しながら説明されたＵＣＩ識別構成要素１１４０もしくは１２４０を使用して実行され得る。
【０１４１】
[0159]ブロック１５１５、ブロック１５２０、ブロック１５２５、ブロック１５３０、ブロック１５３５、ブロック１５４０、および／またはブロック１５４５において、方法１５００は、ＵＣＩの送信に利用可能なＵＬ  ＣＣを、第１の無線周波数スペクトル帯域における少なくとも１つのＵＬ  ＣＣに限定することを含み得る。ブロック１５１５において、方法１５００は、ＵＥがサブフレームの間の並列のＰＵＣＣＨおよびＰＵＳＣＨ送信のために構成されないと決定することを含み得る。
【０１４２】
[0160]ブロック１５２０において、方法１５００は、サブフレームの間に第１の無線周波数スペクトル帯域においてＰＵＳＣＨ送信が可能であるかどうかを決定することを含み得る（たとえば、方法１５００は、ＵＥが第１の無線周波数スペクトル帯域におけるＵＬ  ＣＣのうちの１つでＰＵＳＣＨを送信するためのアップリンク許可を受信したかどうかを決定することを含み得る）。第１の無線周波数スペクトル帯域においてＰＵＳＣＨ送信が不可能であると決定されたとき、方法１５００はブロック１５２５で継続し得る。第１の無線周波数スペクトル帯域においてＰＵＳＣＨ送信が可能であると決定されたとき、方法１５００はブロック１５３０で継続し得る。
【０１４３】
[0161]ブロック１５１５または１５２０における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＣＣＨ／ＰＵＳＣＨ利用可能性決定構成要素１２５０を使用して実行され得る。
【０１４４】
[0162]ブロック１５２５において、方法１５００は、利用可能なＵＬ  ＣＣを第１の無線周波数スペクトル帯域におけるＰＵＣＣＨ  ＣＣに限定することを含み得る。ブロック１５２５における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＣＣＨ選択構成要素１２５５を使用して実行され得る。
【０１４５】
[0163]ブロック１５３０において、方法１５００は、利用可能なＵＬ  ＣＣを第１の無線周波数スペクトル帯域における第１のＰＵＳＣＨ  ＣＣに限定することを含み得る。ブロック１５３０における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＳＣＨ選択構成要素１２６０を使用して実行され得る。
【０１４６】
[0164]ブロック１５３５において、方法１５００は、非周期的ＣＳＩがサブフレームの間に第１のＰＵＳＣＨ  ＣＣ上で送信されるようにトリガされているかどうかを決定することを含み得る。非周期的ＣＳＩがトリガされていないと決定されたとき、方法１５００はブロック１５４０で継続し得る。非周期的ＣＳＩがトリガされていると決定されたとき、方法１５００はブロック１５４５で継続し得る。ブロック１５３５における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＳＣＨ選択構成要素１２６０もしくは非周期的ＣＳＩベース選択構成要素１２６５を使用して実行され得る。
【０１４７】
[0165]ブロック１５４５において、方法１５００は、非周期的ＣＳＩがサブフレームの間に第１のＰＵＳＣＨ  ＣＣ上で送信されるようにトリガされることに少なくとも部分的に基づいて、第１のＰＵＳＣＨ  ＣＣを選択することを含み得る。ブロック１５４５における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＳＣＨ選択構成要素１２６０もしくは非周期的ＣＳＩベース選択構成要素１２６５を使用して実行され得る。
【０１４８】
[0166]ブロック１５４０において、方法１５００は、第１のＰＵＳＣＨ  ＣＣに関連する第１のＣＣインデックスに少なくとも部分的に基づいて、第１のＰＵＳＣＨ  ＣＣを選択することを含み得る。いくつかの例では、第１のＣＣインデックスに少なくとも部分的に基づいて第１のＰＵＳＣＨ  ＣＣを選択することは、第１のＣＣインデックスが第２のＰＵＳＣＨ  ＣＣに関連する第２のＣＣインデックスよりも低いことに少なくとも部分的に基づいて、第１のＰＵＳＣＨ  ＣＣを選択することを含み得る。ブロック１５４０における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＳＣＨ選択構成要素１２６０もしくはＣＣインデックスベース選択構成要素１２７０を使用して実行され得る。
【０１４９】
[0167]このようにして、方法１５００はワイヤレス通信を提供し得る。方法１５００は一実装形態にすぎず、方法１５００の動作は、他の実装形態が可能であるように再構成されるか、または別の方法で修正され得ることに留意されたい。
【０１５０】
[0168]図１６は、本開示の様々な態様による、ワイヤレス通信のための方法１６００の例を示すフローチャートである。明快のために、方法１６００は、図１、図２、図４、図５、もしくは図１３を参照しながら説明されたＵＥ１１５、２１５、２１５−ａ、２１５−ｂ、２１５−ｃ、４１５、５１５、もしくは１３１５のうちの１つもしくは複数の態様、または図１１もしくは図１２を参照しながら説明された装置１１１５もしくは１２１５のうちの１つもしくは複数の態様を参照しながら以下で説明される。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を実行し得る。
【０１５１】
[0169]ブロック１６０５において、方法１６００は、ＵＥに使用するＵＬ  ＣＣのセットを決定することを含み得る。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。いくつかの例では、第１の無線周波数スペクトル帯域は専用無線周波数スペクトル帯域であってよく、第２の無線周波数スペクトル帯域は共有無線周波数スペクトル帯域であってよい。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、決定することは、アップリンクキャリアアグリゲーション動作のためのＵＬ  ＣＣのセットを決定することを含み得る。いくつかの例では、決定することは、デュアル接続動作におけるＣＣの１次グループまたはＣＣの２次グループとして使用する、デュアル接続動作のためのＵＬ  ＣＣのセットを決定することを含み得る。ブロック１６０５における動作は、図１１、図１２、もしくは図１３を参照しながら説明されたワイヤレス通信管理構成要素１１２０、１２２０、もしくは１３６０、または図１１もしくは図１２を参照しながら説明されたＵＬ  ＣＣ決定構成要素１１３５もしくは１２３５を使用して実行され得る。
【０１５２】
[0170]ブロック１６１０において、方法１６００は、サブフレームにおいて、送信予定のＵＣＩを識別することを含み得る。ＵＣＩは、１つまたは複数のＣＣに関連付けられ得る。いくつかの例では、ＵＣＩは、少なくとも１つのタイプの周期的ＵＣＩを含み得る。いくつかの例では、ＵＣＩは、すべてのタイプの周期的ＵＣＩを含み得る。いくつかの例では、ＵＣＩは、ＳＲ、ＡＣＫ／ＮＡＫ、または周期的ＣＳＩを含み得る。いくつかの例では、ＵＣＩは、非周期的ＣＳＩを含み得る。いくつかの例では、ＵＣＩは、すべてのタイプのＵＣＩを含み得る。ブロック１６１０における動作は、図１１、図１２、もしくは図１３を参照しながら説明されたワイヤレス通信管理構成要素１１２０、１２２０、もしくは１３６０、または図１１もしくは図１２を参照しながら説明されたＵＣＩ識別構成要素１１４０もしくは１２４０を使用して実行され得る。
【０１５３】
[0171]ブロック１６１５、ブロック１６２０、ブロック１６２５、ブロック１６３０、ブロック１６３５、ブロック１６４０、および／またはブロック１６４５において、方法１６００は、ＵＣＩの送信に利用可能なＵＬ  ＣＣを、第１の無線周波数スペクトル帯域における少なくとも１つのＵＬ  ＣＣに限定することを含み得る。ブロック１６１５において、方法１６００は、ＵＥがサブフレームの間の並列のＰＵＣＣＨおよびＰＵＳＣＨ送信のために構成されると決定することを含み得る。
【０１５４】
[0172]ブロック１６２０において、方法１６００は、サブフレームの間に第１の無線周波数スペクトル帯域においてＰＵＳＣＨ送信が可能であるかどうかを決定することを含み得る（たとえば、方法１６００は、ＵＥが第１の無線周波数スペクトル帯域におけるＵＬ  ＣＣのうちの１つでＰＵＳＣＨを送信するためのアップリンク許可を受信したかどうかを決定することを含み得る）。第１の無線周波数スペクトル帯域においてＰＵＳＣＨ送信が不可能であると決定されたとき、方法１６００はブロック１６２５で継続し得る。第１の無線周波数スペクトル帯域においてＰＵＳＣＨ送信が可能であると決定されたとき、方法１６００はブロック１６３０で継続し得る。
【０１５５】
[0173]ブロック１６１５または１６２０における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＣＣＨ／ＰＵＳＣＨ利用可能性決定構成要素１２５０を使用して実行され得る。
【０１５６】
[0174]ブロック１６２５において、方法１６００は、利用可能なＵＬ  ＣＣを第１の無線周波数スペクトル帯域におけるＰＵＣＣＨ  ＣＣに限定することを含み得る。ブロック１６２５における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＣＣＨ選択構成要素１２５５を使用して実行され得る。
【０１５７】
[0175]ブロック１６３０において、方法１６００は、ＵＣＩが第１のタイプの情報を含むかどうかを決定することを含み得る。ＵＣＩが第１のタイプの情報を含まないと決定されたとき、方法１６００はブロック１６３５で継続し得る。ＵＣＩが第１のタイプの情報を含むと決定されたとき、方法１６００はブロック１６４５で継続し得る。いくつかの例では、第１のタイプの情報は、ＳＲ、またはＡＣＫ／ＮＡＫ、またはＳＲおよびＡＣＫ／ＮＡＫ、または周期的ＣＳＩを含み得る。ブロック１６３０における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＵＣＩタイプベースマッピング構成要素１２７５を使用して実行され得る。
【０１５８】
[0176]ブロック１６３５において、方法１６００は、ＵＣＩが第２のタイプの情報を含むと決定することを含み得る。いくつかの例では、第２のタイプの情報は、周期的ＣＳＩと、ＳＲ、ＡＣＫ／ＮＡＫ、またはＳＲとＡＣＫ／ＮＡＫとの組合せのうちの少なくとも１つとを含み得る。ブロック１６３５における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＵＣＩタイプベースマッピング構成要素１２７５を使用して実行され得る。
【０１５９】
[0177]ブロック１６４０において、方法１６００は、第１のタイプの情報に少なくとも部分的に基づいて、利用可能なＵＬ  ＣＣを第１の無線周波数スペクトル帯域における第１のＰＵＣＣＨ  ＣＣに限定することを含み得る。ブロック１６４０における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＣＣＨ選択構成要素１２５５を使用して実行され得る。
【０１６０】
[0178]ブロック１６４５において、方法１６００は、第２のタイプの情報の第１の部分を送信するために、利用可能なＵＬ  ＣＣを第１の無線周波数スペクトル帯域におけるＰＵＳＣＨ  ＣＣに限定し、第２のタイプの情報の第２の部分を送信するために、利用可能なＵＬ  ＣＣを第１の無線周波数スペクトル帯域におけるＰＵＣＣＨ  ＣＣに限定することを含み得る。いくつかの例では、第２のタイプの情報の第１の部分は周期的ＣＳＩを含み得、第２のタイプの情報の第２の部分はＳＲ、ＡＣＫ／ＮＡＫ、またはＳＲとＡＣＫ／ＮＡＫとの組合せを含み得る。第２のタイプの情報の第１の部分を送信するために２つ以上のＰＵＳＣＨ  ＣＣが利用可能であるとき、図１５のブロック１５３５、１５４０、または１５４５を参照しながら説明されたように、ＰＵＳＣＨ  ＣＣが選択され得る。ブロック１６４５における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明されたＰＵＣＣＨ選択構成要素１２５５、ＰＵＳＣＨ選択構成要素１２６０、非周期的ＣＳＩベース選択構成要素１２６５、もしくはＣＣインデックスベース選択構成要素１２７０を使用して実行され得る。
【０１６１】
[0179]このようにして、方法１６００はワイヤレス通信を提供し得る。方法１６００は一実装形態にすぎず、方法１６００の動作は、他の実装形態が可能であるように再構成されるか、または別の方法で修正され得ることに留意されたい。
【０１６２】
[0180]図１７は、本開示の様々な態様による、ワイヤレス通信のための方法１７００の例を示すフローチャートである。明快のために、方法１７００は、図１、図２、図４、図５、もしくは図１３を参照しながら説明されたＵＥ１１５、２１５、２１５−ａ、２１５−ｂ、２１５−ｃ、４１５、５１５、もしくは１３１５のうちの１つもしくは複数の態様、または図１１もしくは図１２を参照しながら説明された装置１１１５もしくは１２１５のうちの１つもしくは複数の態様を参照しながら以下で説明される。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を実行し得る。
【０１６３】
[0181]ブロック１７０５において、方法１７００は、ＵＥに使用するＵＬ  ＣＣのセットを決定することを含み得る。ＵＬ  ＣＣのセットは、第１の無線周波数スペクトル帯域における少なくとも１つのＵＬ  ＣＣと第２の無線周波数スペクトル帯域における少なくとも１つのＵＬ  ＣＣとを含み得る。いくつかの例では、第１の無線周波数スペクトル帯域は専用無線周波数スペクトル帯域であってよく、第２の無線周波数スペクトル帯域は共有無線周波数スペクトル帯域であってよい。専用無線周波数スペクトル帯域は、ＬＴＥ／ＬＴＥ−Ａ通信のために使用可能な免許無線周波数スペクトル帯域のような、様々な用途のために１人または複数のユーザに免許されているので送信装置がアクセスを争わなくてよい無線周波数スペクトル帯域であり得る。共有無線周波数スペクトル帯域は、送信装置がアクセスを争い得る無線周波数スペクトル帯域（たとえば、Ｗｉ−Ｆｉ用途のような免許不要の用途に利用可能である無線周波数スペクトル帯域、または同等共有もしくは優先度付けの方法で複数の事業者による使用が可能である無線周波数スペクトル帯域）を含み得る。いくつかの例では、決定することは、アップリンクキャリアアグリゲーション動作のためのＵＬ  ＣＣのセットを決定することを含み得る。いくつかの例では、決定することは、デュアル接続動作におけるＣＣの１次グループまたはＣＣの２次グループとして使用する、デュアル接続動作のためのＵＬ  ＣＣのセットを決定することを含み得る。ブロック１７０５における動作は、図１１、図１２、もしくは図１３を参照しながら説明されたワイヤレス通信管理構成要素１１２０、１２２０、もしくは１３６０、または図１１もしくは図１２を参照しながら説明されたＵＬ  ＣＣ決定構成要素１１３５もしくは１２３５を使用して実行され得る。
【０１６４】
[0182]ブロック１７１０において、方法１７００は、サブフレームにおいて、送信予定を識別することを含み得る。ＵＣＩは、１つまたは複数のＣＣに関連付けられ得る。いくつかの例では、ＵＣＩは、非周期的ＣＳＩを含み得る。ＵＣＩはまた、少なくとも１つのタイプの周期的ＵＣＩを含み得る。いくつかの例では、ＵＣＩは、非周期的ＣＳＩとすべてのタイプの周期的ＵＣＩとを含み得る。いくつかの例では、ＵＣＩは、すべてのタイプのＵＣＩを含み得る。ブロック１７１０における動作は、図１１、図１２、もしくは図１３を参照しながら説明されたワイヤレス通信管理構成要素１１２０、１２２０、もしくは１３６０、または図１１もしくは図１２を参照しながら説明されたＵＣＩ識別構成要素１１４０もしくは１２４０を使用して実行され得る。
【０１６５】
[0183]ブロック１７１５において、方法１７００は、ＵＣＩの送信に利用可能なＵＬ  ＣＣを第１の無線周波数スペクトル帯域におけるＵＬ  ＣＣに、および／または非周期的ＣＳＩがサブフレームの間に送信されるようにトリガされる第２の無線周波数スペクトル帯域における１つもしくは複数のＵＬ  ＣＣに限定することを含み得る。
【０１６６】
[0184]ブロック１７２０において、方法１７００は、第２の無線周波数スペクトル帯域における第１のＵＬ  ＣＣを通じて、サブフレームにおいて、第２の無線周波数スペクトル帯域における第１のＵＬ  ＣＣに関する非周期的ＣＳＩを送信することを含み得る。
【０１６７】
[0185]ブロック１７２５において、また非周期的ＣＳＩが第１の無線周波数スペクトル帯域における第２のＵＬ  ＣＣに関してサブフレームの間に送信されるようにトリガされるとき、方法１７００は、第１の無線周波数スペクトル帯域における第２のＵＬ  ＣＣを通じて、サブフレームにおいて、第１の無線周波数スペクトル帯域における第２のＵＬ  ＣＣに関する非周期的ＣＳＩを送信することを含み得る。
【０１６８】
[0186]ブロック１７１５、１７２０、または１７２５における動作は、図１１、図１２、もしくは図１３を参照しながら説明されたワイヤレス通信管理構成要素１１２０、１２２０、もしくは１３６０、図１１もしくは図１２を参照しながら説明されたＵＣＩ−ＵＬ  ＣＣマッピング構成要素１１４５もしくは１２４５、または図１２を参照しながら説明された非周期的ＣＳＩマッピング構成要素１２８０を使用して実行され得る。
【０１６９】
[0187]方法１７００のいくつかの例では、ＳＲ、ＡＣＫ／ＮＡＫ、または周期的ＣＳＩのような他のＵＣＩも、サブフレームの間に送信され得る。これらの例では、他のＵＣＩは、第１の無線周波数スペクトル帯域におけるＵＬ  ＣＣ上で（たとえば、第１の無線周波数スペクトル帯域における第１のＵＬ  ＣＣ上で）送信され得る。
【０１７０】
[0188]このようにして、方法１７００はワイヤレス通信を提供し得る。方法１７００は一実装形態にすぎず、方法１７００の動作は、他の実装形態が可能であるように再構成されるか、または別の方法で修正され得ることに留意されたい。
【０１７１】
[0189]いくつかの例では、図１４、図１５、図１６、または図１７を参照しながら説明された方法１４００、１５００、１６００、または１７００のうちの２つ以上の態様が組み合わされ得る。
【０１７２】
[0190]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００  Ｒｅｌｅａｓｅ  ０およびＡは、一般に、ＣＤＭＡ２０００  １Ｘ、１Ｘなどと呼ばれる。ＩＳ−８５６（ＴＩＡ−８５６）は一般に、ＣＤＭＡ２０００  １ｘＥＶ−ＤＯ、高レートパケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、汎欧州デジタル移動電話方式（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡはユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明された技法は、共有無線周波数スペクトル帯域を通じたセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１７３】
[0191]添付の図面に関して上に記載された発明を実施するための形態は、例について説明しており、実装され得るかまたは特許請求の範囲内に入る例のすべてを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明される技法の理解を与えるための具体的な詳細を含む。しかしながら、これらの技法は、これらの具体的な詳細を伴わずに実践され得る。いくつかの事例では、説明された例の概念を不明瞭にすることを回避するために、よく知られている構造および装置がブロック図の形式で示されている。
【０１７４】
[0192]情報および信号は、多種多様な技術および技法のいずれかを使用して表され得る。たとえば、上の説明全体を通じて参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１７５】
[0193]本明細書の開示に関して説明された様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１７６】
[0194]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つもしくは複数の命令またはコードとしてコンピュータ可読媒体上に記憶され得るか、またはコンピュータ可読媒体を介して送信され得る。他の例および実装形態が、本開示および添付の特許請求の範囲および趣旨内に入る。たとえば、ソフトウェアの性質により、上で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理的ロケーションにおいて機能の部分が実装されるように分散されることを含めて、様々な位置に物理的に配置され得る。特許請求の範囲を含めて、本明細書で使用される場合、２つ以上の項目の列挙中で使用されるとき、「または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、またはＣを含んでいるものとして表される場合、その組成は、Ａのみ、Ｂのみ、Ｃのみ、ＡとＢとの組合せ、ＡとＣとの組合せ、ＢとＣとの組合せ、またはＡとＢとＣとの組合せを含んでいることがある。また、特許請求の範囲を含めて、本明細書で使用される場合、項目の列挙（たとえば、「のうちの少なくとも１つ」あるいは「のうちの１つまたは複数」などの句で始まる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１７７】
[0195]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭもしくは他の光ディスクストレージ、磁気ディスクストレージもしくは他の磁気ストレージデバイス、または命令もしくはデータ構造の形態の所望のプログラムコード手段を搬送または記憶するために使用され得、汎用もしくは専用コンピュータ、または汎用もしくは専用プロセッサによってアクセスされ得る、任意の他の媒体を含み得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せもコンピュータ可読媒体の範囲内に含まれる。
【０１７８】
[0196]本開示についての以上の説明は、当業者が本開示を作成または使用することができるように与えられたものである。本開示への様々な修正は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2019071649.tif 000003
【図２】
2019071649.tif 000004
【図３】
2019071649.tif 000005
【図４】
2019071649.tif 000006
【図５】
2019071649.tif 000007
【図６】
2019071649.tif 000008
【図７Ａ】
2019071649.tif 000009
【図７Ｂ】
2019071649.tif 000010
【図８Ａ】
2019071649.tif 000011
【図８Ｂ】
2019071649.tif 000012
【図９】
2019071649.tif 000013
【図１０】
2019071649.tif 000014
【図１１】
2019071649.tif 000015
【図１２】
2019071649.tif 000016
【図１３】
2019071649.tif 000017
【図１４】
2019071649.tif 000018
【図１５】
2019071649.tif 000019
【図１６】
2019071649.tif 000020
【図１７】
2019071649.tif 000021
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームにおいて、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと
を備える方法。
【手続補正２】
【補正対象書類名】明細書
【補正対象項目名】０１７８
【補正方法】変更
【補正の内容】
【０１７８】
[0196]本開示についての以上の説明は、当業者が本開示を作成または使用することができるように与えられたものである。本開示への様々な修正は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願の出願当初の特許請求の範囲に記載された発明を付記する。
［Ｃ１］
ワイヤレス通信のための方法であって、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームにおいて、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと
を備える方法。
［Ｃ２］
前記第１の無線周波数スペクトル帯域は専用無線周波数スペクトル帯域であり、前記第２の無線周波数スペクトル帯域は共有無線周波数スペクトル帯域である、Ｃ１に記載の方法。
［Ｃ３］
前記決定することは、
アップリンクキャリアアグリゲーション動作のためのＵＬ  ＣＣの前記セットを決定すること
を備える、Ｃ１に記載の方法。
［Ｃ４］
前記決定することは、
デュアル接続動作におけるＣＣの１次グループまたはＣＣの２次グループとして使用する、前記デュアル接続動作のためのＵＬ  ＣＣの前記セットを決定すること
を備える、Ｃ１に記載の方法。
［Ｃ５］
前記限定することは、
前記ＵＥが前記サブフレームの間の並列の物理アップリンク制御チャネル（ＰＵＣＣＨ）および物理アップリンク共有チャネル（ＰＵＳＣＨ）送信のために構成されないと決定すること
を備える、Ｃ１に記載の方法。
［Ｃ６］
前記サブフレームの間に前記第１の無線周波数スペクトル帯域においてＰＵＳＣＨ送信が不可能であると決定することと、
前記利用可能なＵＬ  ＣＣを前記第１の無線周波数スペクトル帯域におけるＰＵＣＣＨ  ＣＣに限定することと
をさらに備える、Ｃ５に記載の方法。
［Ｃ７］
前記サブフレームの間に前記第１の無線周波数スペクトル帯域において少なくとも１つのＰＵＳＣＨ送信が可能であると決定することと、
前記利用可能なＵＬ  ＣＣを前記第１の無線周波数スペクトル帯域における第１のＰＵＳＣＨ  ＣＣに限定することと
をさらに備える、Ｃ５に記載の方法。
［Ｃ８］
非周期的チャネル状態情報（ＣＳＩ）が前記サブフレームの間に前記第１のＰＵＳＣＨ  ＣＣ上で送信されるようにトリガされることに少なくとも部分的に基づいて、前記第１のＰＵＳＣＨ  ＣＣを選択すること
をさらに備える、Ｃ７に記載の方法。
［Ｃ９］
前記第１のＰＵＳＣＨ  ＣＣに関連する第１のＣＣインデックスに少なくとも部分的に基づいて、前記第１のＰＵＳＣＨ  ＣＣを選択すること
をさらに備える、Ｃ７に記載の方法。
［Ｃ１０］
前記第１のＣＣインデックスに少なくとも部分的に基づいて、前記第１のＰＵＳＣＨ  ＣＣを選択することは、
前記第１のＣＣインデックスが第２のＰＵＳＣＨ  ＣＣに関連する第２のＣＣインデックスよりも低いことに少なくとも部分的に基づいて、前記第１のＰＵＳＣＨ  ＣＣを選択すること
を備える、Ｃ９に記載の方法。
［Ｃ１１］
前記限定することは、
前記ＵＥが前記サブフレームの間の並列の物理アップリンク制御チャネル（ＰＵＣＣＨ）および物理アップリンク共有チャネル（ＰＵＳＣＨ）送信のために構成されると決定すること
を備える、Ｃ１に記載の方法。
［Ｃ１２］
前記サブフレームの間に前記第１の無線周波数スペクトル帯域においてＰＵＳＣＨ送信が不可能であると決定することと、
前記利用可能なＵＬ  ＣＣを前記第１の無線周波数スペクトル帯域におけるＰＵＣＣＨ  ＣＣに限定することと
をさらに備える、Ｃ１１に記載の方法。
［Ｃ１３］
前記サブフレームの間に前記第１の無線周波数スペクトル帯域において少なくとも１つのＰＵＳＣＨ送信が可能であると決定することと、
前記ＵＣＩが第１のタイプの情報を備えると決定することと、
前記第１のタイプの情報に少なくとも部分的に基づいて、前記利用可能なＵＬ  ＣＣを前記第１の無線周波数スペクトル帯域におけるＰＵＣＣＨ  ＣＣに限定することと
をさらに備える、Ｃ１１に記載の方法。
［Ｃ１４］
前記第１のタイプの情報は、スケジューリング要求（ＳＲ）、または肯定応答（ＡＣＫ）／否定応答（ＮＡＫ）、またはＳＲおよびＡＣＫ／ＮＡＫ、または周期的チャネル状態情報（ＣＳＩ）を備える、Ｃ１３に記載の方法。
［Ｃ１５］
前記サブフレームの間に前記第１の無線周波数スペクトル帯域において少なくとも１つのＰＵＳＣＨ送信が可能であると決定することと、
前記ＵＣＩが第２のタイプの情報を備えると決定することと、
前記第２のタイプの情報の第１の部分を送信するために、前記利用可能なＵＬ  ＣＣを前記第１の無線周波数スペクトル帯域におけるＰＵＳＣＨ  ＣＣに限定することと、
前記第２のタイプの情報の第２の部分を送信するために、前記利用可能なＵＬ  ＣＣを前記第１の無線周波数スペクトル帯域におけるＰＵＣＣＨ  ＣＣに限定することと
をさらに備える、Ｃ１１に記載の方法。
［Ｃ１６］
前記第２のタイプの情報は、周期的チャネル状態情報（ＣＳＩ）と、スケジューリング要求（ＳＲ）、肯定応答（ＡＣＫ）／否定応答（ＮＡＫ）、または前記ＳＲと前記ＡＣＫ／ＮＡＫとの組合せのうちの少なくとも１つとを備える、Ｃ１５に記載の方法。
［Ｃ１７］
前記第２のタイプの情報の前記第１の部分は前記周期的ＣＳＩを備え、前記第２のタイプの情報の前記第２の部分は前記ＳＲ、前記ＡＣＫ／ＮＡＫ、または前記ＳＲと前記ＡＣＫ／ＮＡＫとの前記組合せを備える、Ｃ１６に記載の方法。
［Ｃ１８］
前記ＵＣＩは、少なくとも１つのタイプの周期的ＵＣＩを備える、Ｃ１に記載の方法。
［Ｃ１９］
前記ＵＣＩは、すべてのタイプの周期的ＵＣＩを備える、Ｃ１に記載の方法。
［Ｃ２０］
前記ＵＣＩは、非周期的チャネル状態情報（ＣＳＩ）を備える、Ｃ１に記載の方法。
［Ｃ２１］
前記第２の無線周波数スペクトル帯域における第１のＵＬ  ＣＣを通じて、前記サブフレームにおいて、前記第２の無線周波数スペクトル帯域における前記第１のＵＬ  ＣＣに関する非周期的チャネル状態情報（ＣＳＩ）を送信すること
をさらに備える、Ｃ１に記載の方法。
［Ｃ２２］
前記第１の無線周波数スペクトル帯域における第２のＵＬ  ＣＣを通じて、前記サブフレームにおいて、前記第１の無線周波数スペクトル帯域における前記第２のＵＬ  ＣＣに関する
非周期的ＣＳＩを送信すること
をさらに備える、Ｃ２１に記載の方法。
［Ｃ２３］
ワイヤレス通信のための装置であって、
プロセッサと、
前記プロセッサと電子通信しているメモリと、
前記プロセッサおよびメモリと
を備え、前記プロセッサおよびメモリは、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームにおいて、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと
を行うように構成される、装置。
［Ｃ２４］
前記第１の無線周波数スペクトル帯域は専用無線周波数スペクトル帯域であり、前記第２の無線周波数スペクトル帯域は共有無線周波数スペクトル帯域である、Ｃ２３に記載の装置。
［Ｃ２５］
前記プロセッサおよびメモリは、
前記ＵＥが前記サブフレームの間の並列の物理アップリンク制御チャネル（ＰＵＣＣＨ）および物理アップリンク共有チャネル（ＰＵＳＣＨ）送信のために構成されないと決定する
ようにさらに構成される、Ｃ２３に記載の装置。
［Ｃ２６］
前記プロセッサおよびメモリは、
前記サブフレームの間に前記第１の無線周波数スペクトル帯域においてＰＵＳＣＨ送信が不可能であると決定することと、
前記利用可能なＵＬ  ＣＣを前記第１の無線周波数スペクトル帯域におけるＰＵＣＣＨ  ＣＣに限定することと
を行うようにさらに構成される、Ｃ２５に記載の装置。
［Ｃ２７］
前記プロセッサおよびメモリは、
前記サブフレームの間に前記第１の無線周波数スペクトル帯域において少なくとも１つのＰＵＳＣＨ送信が可能であると決定することと、
前記利用可能なＵＬ  ＣＣを前記第１の無線周波数スペクトル帯域における第１のＰＵＳＣＨ  ＣＣに限定することと
を行うようにさらに構成される、Ｃ２５に記載の装置。
［Ｃ２８］
前記プロセッサおよびメモリは、
前記ＵＥが前記サブフレームの間の並列の物理アップリンク制御チャネル（ＰＵＣＣＨ）および物理アップリンク共有チャネル（ＰＵＳＣＨ）送信のために構成されると決定する
ようにさらに構成される、Ｃ２３に記載の装置。
［Ｃ２９］
ワイヤレス通信のための装置であって、
ユーザ機器（ＵＥ）に使用するアップリンク（ＵＬ）コンポーネントキャリア（ＣＣ）のセットを決定するための手段と、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームにおいて、送信予定のアップリンク制御情報（ＵＣＩ）を識別するための手段と、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定するための手段と
を備える装置。
［Ｃ３０］
ワイヤレス通信のためのコンピュータ実行可能コードを記憶する非一時的コンピュータ可読媒体であって、前記コードは、
ユーザ機器（ＵＥ）に使用するアップリンク（ＵＬ）コンポーネントキャリア（ＣＣ）のセットを決定することと、ＵＬ  ＣＣの前記セットが、第１の無線周波数スペクトル帯域における少なくとも１つのＵＬ  ＣＣと第２の無線周波数スペクトル帯域における少なくとも１つのＵＬ  ＣＣとを備える、
サブフレームにおいて、送信予定のアップリンク制御情報（ＵＣＩ）を識別することと、ここにおいて、前記ＵＣＩが１つまたは複数のＣＣに関連付けられる、
前記ＵＣＩの送信に利用可能なＵＬ  ＣＣを、前記第１の無線周波数スペクトル帯域における前記少なくとも１つのＵＬ  ＣＣに限定することと
を行うようにプロセッサによって実行可能である、非一時的コンピュータ可読媒体。
【外国語明細書】
2019071649000001.pdf